(57)【要約】  本願の実施例はアップリンクデータ伝送に用いられる方法、端末装置及びネットワーク装置に関する。該方法は、ネットワーク装置が送信したSRSリソースのサブセット制約指示情報を受信し、該サブセット制約指示情報は少なくとも1つの利用可能なSRSリソースサブセットを指示することに用いられることと、該サブセット制約指示情報に基づいて、ネットワーク装置が送信した、アップリンクデータ伝送をスケジューリングするためのDCIにおけるSRIの長さを確定することと、該SRIの長さに基づいて、該DCIからターゲットSRIを確定することと、該少なくとも1つの利用可能なSRSリソースサブセットから、該ターゲットSRIに対応するターゲットSRSリソースサブセットを確定することと、該ターゲットSRSリソースサブセットに基づいて、該アップリンクデータ伝送に使用される伝送パラメータを確定することと、を含む。本願の実施例によるアップリンクデータ伝送に用いられる方法、端末装置及びネットワーク装置によれば、SRIのオーバーヘッドを低減することができる。
2021512509.tif 000002
【特許請求の範囲】
【請求項１】
ネットワーク装置が送信したサウンディング参照信号SRSリソースのサブセット制約指示情報を受信し、前記サブセット制約指示情報は少なくとも1つの利用可能なSRSリソースサブセットを指示することに用いられることと、
前記サブセット制約指示情報に基づいて、ネットワーク装置が送信した、アップリンクデータ伝送をスケジューリングするためのダウンリンク制御情報DCIにおけるSRSリソース指示SRIの長さを確定することと、
前記SRIの長さに基づいて、前記DCIからターゲットSRIを確定することと、
前記少なくとも1つの利用可能なSRSリソースサブセットから、前記ターゲットSRIに対応するターゲットSRSリソースサブセットを確定することと、
前記ターゲットSRSリソースサブセットに基づいて、前記アップリンクデータ伝送に使用される伝送パラメータを確定することと、を含むことを特徴とするアップリンクデータ伝送に用いられる方法。
【請求項２】
前記少なくとも1つの利用可能なSRSリソースサブセットにおける各SRSリソースサブセットは、1つのSRSリソースであることを特徴とする請求項1に記載の方法。
【請求項３】
前記ネットワーク装置が送信したリソースセット指示情報を受信し、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを更に含むことを特徴とする請求項2に記載の方法。
【請求項４】
前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数であることを特徴とする請求項3に記載の方法。
【請求項５】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項1に記載の方法。
【請求項６】
プリセットの少なくとも1つのSRSリソース組合せを確定し、前記サブセット制約指示情報は前記少なくとも1つのSRSリソース組合せにおける少なくとも1つの利用可能なSRSリソース組合せを指示することに用いられることを更に含むことを特徴とする請求項5に記載の方法。
【請求項７】
前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられることを特徴とする請求項6に記載の方法。
【請求項８】
前記少なくとも1つのSRSリソース組合せは、1つのSRSリソースセットにおけるSRSリソースの間のすべての組合せを含むことを特徴とする請求項5〜7のいずれか1項に記載の方法。
【請求項９】
前記サブセット制約指示情報に基づいて前記SRIの長さを確定することは、
前記少なくとも1つの利用可能なSRSリソースサブセットの数に基づいて、前記SRIの長さを確定することを含むことを特徴とする請求項1〜8のいずれか1項に記載の方法。
【請求項１０】
前記少なくとも1つの利用可能なSRSリソースサブセットの数に基づいて、前記SRIの長さを確定することは、
前記SRIの長さが
2021512509.tif 000020
に等しいことを確定し、
2021512509.tif 000021
は切り上げを表し、Kは前記少なくとも1つの利用可能なSRSリソースサブセットの数に等しいことを含むことを特徴とする請求項9に記載の方法。
【請求項１１】
前記サブセット制約指示情報に基づいて、SRIの値と前記少なくとも1つの利用可能なSRSリソースサブセットとの対応関係を確定することを更に含み、
前記少なくとも1つの利用可能なSRSリソースサブセットから、前記ターゲットSRIに対応するターゲットSRSリソースサブセットを確定することは、
前記SRIの値と前記少なくとも1つの利用可能なSRSリソースサブセットとの対応関係に基づいて、前記少なくとも1つの利用可能なSRSリソースサブセットから、前記ターゲットSRIに対応するターゲットSRSリソースサブセットを確定することを含むことを特徴とする請求項1〜10のいずれか1項に記載の方法。
【請求項１２】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項1に記載の方法。
【請求項１３】
前記ターゲットSRSリソースサブセットに基づいて、前記アップリンクデータ伝送に使用される伝送パラメータを確定することは、
前記ターゲットSRSリソースサブセットのアンテナポート数及びターゲットプリコーディングマトリックスインジケーターPMI情報を確定することと、
アンテナポート数、PMI情報及びプリコーディングマトリックスの間の対応関係に基づいて、前記ターゲットSRSリソースサブセットのアンテナポート数及び前記ターゲットPMI情報に対応するプリコーディングマトリックスが、前記アップリンクデータ伝送に使用されるプリコーディングマトリックスであることを確定することと、を含むことを特徴とする請求項12に記載の方法。
【請求項１４】
前記DCIは前記ターゲットPMI情報を含むことを特徴とする請求項13に記載の方法。
【請求項１５】
前記ターゲットSRSリソースサブセットに基づいて、前記アップリンクデータ伝送に使用される伝送パラメータを確定することは、
前記ターゲットSRSリソースサブセットの総アンテナポート数及び/又は前記ターゲットSRSリソースサブセットに含まれるSRSリソースの数を、前記アップリンクデータ伝送の伝送層数として確定することを含むことを特徴とする請求項12に記載の方法。
【請求項１６】
前記ターゲットSRSリソースサブセットに基づいて、前記アップリンクデータ伝送に使用される伝送パラメータを確定することは、
前記ターゲットSRSリソースサブセットにおけるSRSの伝送に使用されるプリコーディングマトリックスを、前記アップリンクデータ伝送に使用されるプリコーディングマトリックスとして確定することを含むことを特徴とする請求項12に記載の方法。
【請求項１７】
前記ターゲットSRSリソースサブセットはターゲットSRSリソース組合せであり、前記ターゲットSRSリソース組合せにおけるSRSリソースの数はKであり、Kは前記アップリンクデータ伝送に対応するデータ伝送層の層数に等しく、
前記ターゲットSRSリソースサブセットにおけるSRSの伝送に使用されるプリコーディングマトリックスを、前記アップリンクデータ伝送に使用されるプリコーディングマトリックスとして確定することは、
前記ターゲットSRSリソース組合せにおける各SRSリソースに使用されるプリコーディングマトリックスを確定し、K個のプリコーディングマトリックスを取得することと、
前記K個のプリコーディングマトリックスを、K個の前記データ伝送層のプリコーディングマトリックスとして確定し、前記K個のプリコーディングマトリックスはK個の前記データ伝送層に一対一対応することと、を含むことを特徴とする請求項16に記載の方法。
【請求項１８】
前記ターゲットSRSリソースサブセットに基づいて、前記アップリンクデータ伝送に使用される伝送パラメータを確定することは、
前記ターゲットSRSリソースサブセットの総アンテナポート数及び/又は前記ターゲットSRSリソースサブセットに含まれるSRSリソースの数を、前記アップリンクデータ伝送に使用されるアンテナポート数として確定することを含むことを特徴とする請求項12に記載の方法。
【請求項１９】
前記ターゲットSRSリソースサブセットに基づいて、前記アップリンクデータ伝送に使用される伝送パラメータを確定することは、
前記ターゲットSRSリソースサブセットにおけるSRSを送信するビームを、前記アップリンクデータ伝送に使用されるビームとして確定することを含むことを特徴とする請求項12に記載の方法。
【請求項２０】
前記ターゲットSRSリソースサブセットに基づいて、前記アップリンクデータ伝送に使用される伝送パラメータを確定することは、
SRSリソースサブセットと電力制御パラメータとの間の対応関係に基づいて、前記ターゲットSRSリソースサブセットに対応する電力制御パラメータを、前記アップリンクデータ伝送に使用される電力制御パラメータとして確定することを含むことを特徴とする請求項12に記載の方法。
【請求項２１】
SRIと電力制御パラメータとの間の対応関係に基づいて、前記ターゲットSRIに対応する電力制御パラメータを、前記アップリンクデータ伝送に使用される電力制御パラメータとして確定することを更に含むことを特徴とする請求項12に記載の方法。
【請求項２２】
前記電力制御パラメータは少なくとも、開ループ電力制御パラメータ、閉ループ電力制御パラメータ及びパスロス推定値のうちの1つを含むことを特徴とする請求項20又は21に記載の方法。
【請求項２３】
前記ターゲットSRSリソースサブセットに基づいて、前記アップリンクデータ伝送に使用される伝送パラメータを確定することは、
前記ターゲットSRSリソースサブセットにおけるSRSを送信するアンテナアレイブロックを、前記アップリンクデータ伝送に使用されるアンテナアレイブロックとして確定することを含むことを特徴とする請求項12に記載の方法。
【請求項２４】
サウンディング参照信号SRSリソースのサブセット制約指示情報を端末装置に送信し、前記サブセット制約指示情報は少なくとも1つの利用可能なSRSリソースサブセットを指示することに用いられることと、
前記サブセット制約指示情報に基づいて、アップリンクデータ伝送をスケジューリングするためのダウンリンク制御情報DCIに含まれるSRSリソース指示SRIの長さを確定することと、
前記少なくとも1つの利用可能なSRSリソースサブセットから、ターゲットSRSリソースサブセットを確定し、前記ターゲットSRSリソースサブセットは、前記端末装置が前記アップリンクデータ伝送に使用される伝送パラメータを確定することに用いられることと、
前記SRIの長さに基づいて、ターゲットSRIを含む前記DCIを前記端末装置に送信し、前記ターゲットSRIは前記ターゲットSRSリソースサブセットを指示することに用いられることと、を含むことを特徴とするアップリンクデータ伝送に用いられる方法。
【請求項２５】
前記少なくとも1つの利用可能なSRSリソースサブセットにおける各SRSリソースサブセットは、1つのSRSリソースであることを特徴とする請求項24に記載の方法。
【請求項２６】
リソースセット指示情報を前記端末装置に送信し、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを更に含むことを特徴とする請求項25に記載の方法。
【請求項２７】
前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数であることを特徴とする請求項26に記載の方法。
【請求項２８】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項24に記載の方法。
【請求項２９】
プリセットの少なくとも1つのSRSリソース組合せを確定し、前記サブセット制約指示情報は前記少なくとも1つのSRSリソース組合せにおける少なくとも1つの利用可能なSRSリソース組合せを指示することに用いられることを更に含むことを特徴とする請求項28に記載の方法。
【請求項３０】
前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられることを特徴とする請求項29に記載の方法。
【請求項３１】
前記少なくとも1つのSRSリソース組合せは、1つのSRSリソースセットにおけるSRSリソースの間のすべての組合せを含むことを特徴とする請求項28〜30のいずれか1項に記載の方法。
【請求項３２】
前記サブセット制約指示情報に基づいて、アップリンクデータ伝送をスケジューリングするためのダウンリンク制御情報DCIに含まれるSRIの長さを確定することは、
前記少なくとも1つの利用可能なSRSリソースサブセットの数に基づいて、前記SRIの長さを確定することを含むことを特徴とする請求項24〜31のいずれか1項に記載の方法。
【請求項３３】
前記少なくとも1つの利用可能なSRSリソースサブセットの数に基づいて、前記SRIの長さを確定することは、
前記SRIの長さが
2021512509.tif 000022
に等しいことを確定し、
2021512509.tif 000023
は切り上げを表し、Kは前記少なくとも1つの利用可能なSRSリソースサブセットの数に等しいことを含むことを特徴とする請求項32に記載の方法。
【請求項３４】
前記サブセット制約指示情報に基づいて、SRIの値と前記少なくとも1つの利用可能なSRSリソースサブセットとの対応関係を確定することと、
前記SRIの値と前記少なくとも1つの利用可能なSRSリソースサブセットとの対応関係に基づいて、ターゲットSRSリソースサブセットに対応する前記ターゲットSRIを確定することと、を更に含むことを特徴とする請求項24〜33のいずれか1項に記載の方法。
【請求項３５】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項24〜34のいずれか1項に記載の方法。
【請求項３６】
ネットワーク装置が送信したサウンディング参照信号SRSリソースのサブセット制約指示情報を受信することに用いられ、前記サブセット制約指示情報は少なくとも1つの利用可能なSRSリソースサブセットを指示することに用いられる、受信ユニットと、
前記サブセット制約指示情報に基づいて、ネットワーク装置が送信した、アップリンクデータ伝送をスケジューリングするためのダウンリンク制御情報DCIにおけるSRSリソース指示SRIの長さを確定することに用いられる確定ユニットと、を備え、
前記確定ユニットは更に、前記SRIの長さに基づいて、前記DCIからターゲットSRIを確定することに用いられ、
前記確定ユニットは更に、前記少なくとも1つの利用可能なSRSリソースサブセットから、前記ターゲットSRIに対応するターゲットSRSリソースサブセットを確定することに用いられ、
前記確定ユニットは更に、前記ターゲットSRSリソースサブセットに基づいて、前記アップリンクデータ伝送に使用される伝送パラメータを確定することに用いられることを特徴とする端末装置。
【請求項３７】
前記少なくとも1つの利用可能なSRSリソースサブセットにおける各SRSリソースサブセットは、1つのSRSリソースであることを特徴とする請求項36に記載の端末装置。
【請求項３８】
前記受信ユニットは更に、
前記ネットワーク装置が送信したリソースセット指示情報を受信することに用いられ、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを特徴とする請求項37に記載の端末装置。
【請求項３９】
前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数であることを特徴とする請求項38に記載の端末装置。
【請求項４０】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項36に記載の端末装置。
【請求項４１】
前記確定ユニットは更に、
プリセットの少なくとも1つのSRSリソース組合せを確定することに用いられ、前記サブセット制約指示情報は前記少なくとも1つのSRSリソース組合せにおける少なくとも1つの利用可能なSRSリソース組合せを指示することに用いられることを特徴とする請求項40に記載の端末装置。
【請求項４２】
前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられることを特徴とする請求項41に記載の端末装置。
【請求項４３】
前記少なくとも1つのSRSリソース組合せは、1つのSRSリソースセットにおけるSRSリソースの間のすべての組合せを含むことを特徴とする請求項40〜42のいずれか1項に記載の端末装置。
【請求項４４】
前記確定ユニットは具体的に、
前記少なくとも1つの利用可能なSRSリソースサブセットの数に基づいて、前記SRIの長さを確定することに用いられることを特徴とする請求項36〜43のいずれか1項に記載の端末装置。
【請求項４５】
前記確定ユニットは具体的に、
前記SRIの長さが
2021512509.tif 000024
に等しいことを確定することに用いられ、
2021512509.tif 000025
は切り上げを表し、Kは前記少なくとも1つの利用可能なSRSリソースサブセットの数に等しいことを特徴とする請求項44に記載の端末装置。
【請求項４６】
前記確定ユニットは具体的に、
前記サブセット制約指示情報に基づいて、SRIの値と前記少なくとも1つの利用可能なSRSリソースサブセットとの対応関係を確定することと、
前記SRIの値と前記少なくとも1つの利用可能なSRSリソースサブセットとの対応関係に基づいて、前記少なくとも1つの利用可能なSRSリソースサブセットから、前記ターゲットSRIに対応するターゲットSRSリソースサブセットを確定することと、に用いられることを特徴とする請求項36〜45のいずれか1項に記載の端末装置。
【請求項４７】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項36に記載の端末装置。
【請求項４８】
前記確定ユニットは具体的に、
前記ターゲットSRSリソースサブセットのアンテナポート数及びターゲットプリコーディングマトリックスインジケーターPMI情報を確定することと、
アンテナポート数、PMI情報及びプリコーディングマトリックスの間の対応関係に基づいて、前記ターゲットSRSリソースサブセットのアンテナポート数及び前記ターゲットPMI情報に対応するプリコーディングマトリックスが、前記アップリンクデータ伝送に使用されるプリコーディングマトリックスであることを確定することと、に用いられることを特徴とする請求項47に記載の端末装置。
【請求項４９】
前記DCIは前記ターゲットPMI情報を含むことを特徴とする請求項48に記載の端末装置。
【請求項５０】
前記確定ユニットは具体的に、
前記ターゲットSRSリソースサブセットの総アンテナポート数及び/又は前記ターゲットSRSリソースサブセットに含まれるSRSリソースの数を、前記アップリンクデータ伝送の伝送層数として確定することに用いられることを特徴とする請求項47に記載の端末装置。
【請求項５１】
前記確定ユニットは具体的に、
前記ターゲットSRSリソースサブセットにおけるSRSの伝送に使用されるプリコーディングマトリックスを、前記アップリンクデータ伝送に使用されるプリコーディングマトリックスとして確定することに用いられることを特徴とする請求項47に記載の端末装置で。
【請求項５２】
前記ターゲットSRSリソースサブセットはターゲットSRSリソース組合せであり、前記ターゲットSRSリソース組合せにおけるSRSリソースの数はKであり、Kは前記アップリンクデータ伝送に対応するデータ伝送層の層数に等しく、
前記確定ユニットは具体的に、
前記ターゲットSRSリソース組合せにおける各SRSリソースに使用されるプリコーディングマトリックスを確定し、K個のプリコーディングマトリックスを取得することと、
前記K個のプリコーディングマトリックスを、K個の前記データ伝送層のプリコーディングマトリックスとして確定し、前記K個のプリコーディングマトリックスはK個の前記データ伝送層に一対一対応することと、に用いられることを特徴とする請求項51に記載の端末装置。
【請求項５３】
前記確定ユニットは具体的に、
前記ターゲットSRSリソースサブセットの総アンテナポート数及び/又は前記ターゲットSRSリソースサブセットに含まれるSRSリソースの数を、前記アップリンクデータ伝送に使用されるアンテナポート数として確定することに用いられることを特徴とする請求項47に記載の端末装置。
【請求項５４】
前記確定ユニットは具体的に、
前記ターゲットSRSリソースサブセットにおけるSRSを送信するビームを、前記アップリンクデータ伝送に使用されるビームとして確定することに用いられることを特徴とする請求項47に記載の端末装置。
【請求項５５】
前記確定ユニットは具体的に、
SRSリソースサブセットと電力制御パラメータとの間の対応関係に基づいて、前記ターゲットSRSリソースサブセットに対応する電力制御パラメータを、前記アップリンクデータ伝送に使用される電力制御パラメータとして確定することに用いられることを特徴とする請求項47に記載の端末装置。
【請求項５６】
前記確定ユニットは具体的に、
SRIと電力制御パラメータとの間の対応関係に基づいて、前記ターゲットSRIに対応する電力制御パラメータを、前記アップリンクデータ伝送に使用される電力制御パラメータとして確定することに用いられることを特徴とする請求項47に記載の端末装置。
【請求項５７】
前記電力制御パラメータは少なくとも、開ループ電力制御パラメータ、閉ループ電力制御パラメータ及びパスロス推定値のうちの1つを含むことを特徴とする請求項55又は56に記載の端末装置。
【請求項５８】
前記確定ユニットは具体的に、
前記ターゲットSRSリソースサブセットにおけるSRSを送信するアンテナアレイブロックを、前記アップリンクデータ伝送に使用されるアンテナアレイブロックとして確定することに用いられることを特徴とする請求項47に記載の端末装置。
【請求項５９】
サウンディング参照信号SRSリソースのサブセット制約指示情報を端末装置に送信することに用いられ、前記サブセット制約指示情報は少なくとも1つの利用可能なSRSリソースサブセットを指示することに用いられる、送信ユニットと、
前記サブセット制約指示情報に基づいて、アップリンクデータ伝送をスケジューリングするためのダウンリンク制御情報DCIに含まれるSRSリソース指示SRIの長さを確定することに用いられる確定ユニットと、を備え、
前記確定ユニットは更に、前記少なくとも1つの利用可能なSRSリソースサブセットから、ターゲットSRSリソースサブセットを確定することに用いられ、前記ターゲットSRSリソースサブセットは、前記端末装置が前記アップリンクデータ伝送に使用される伝送パラメータを確定することに用いられ、
前記送信ユニットは更に、前記SRIの長さに基づいて、ターゲットSRIを含む前記DCIを前記端末装置に送信することに用いられ、前記ターゲットSRIは前記ターゲットSRSリソースサブセットを指示することに用いられることを特徴とするネットワーク装置。
【請求項６０】
前記少なくとも1つの利用可能なSRSリソースサブセットにおける各SRSリソースサブセットは、1つのSRSリソースであることを特徴とする請求項59に記載のネットワーク装置。
【請求項６１】
前記送信ユニットは更に、
リソースセット指示情報を前記端末装置に送信することに用いられ、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを特徴とする請求項60に記載のネットワーク装置。
【請求項６２】
前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数であることを特徴とする請求項61に記載のネットワーク装置。
【請求項６３】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項59に記載のネットワーク装置。
【請求項６４】
前記確定ユニットは具体的に、
プリセットの少なくとも1つのSRSリソース組合せを確定することに用いられ、前記サブセット制約指示情報は前記少なくとも1つのSRSリソース組合せにおける少なくとも1つの利用可能なSRSリソース組合せを指示することに用いられることを特徴とする請求項63に記載のネットワーク装置。
【請求項６５】
前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられることを特徴とする請求項64に記載のネットワーク装置。
【請求項６６】
前記少なくとも1つのSRSリソース組合せは、1つのSRSリソースセットにおけるSRSリソースの間のすべての組合せを含むことを特徴とする請求項63〜65のいずれか1項に記載のネットワーク装置。
【請求項６７】
前記確定ユニットは具体的に、
前記少なくとも1つの利用可能なSRSリソースサブセットの数に基づいて、前記SRIの長さを確定することに用いられることを特徴とする請求項59〜66のいずれか1項に記載のネットワーク装置。
【請求項６８】
前記確定ユニットは具体的に、
前記SRIの長さが
2021512509.tif 000026
に等しいことを確定することに用いられ、
2021512509.tif 000027
は切り上げを表し、Kは前記少なくとも1つの利用可能なSRSリソースサブセットの数に等しいことを特徴とする請求項67に記載のネットワーク装置。
【請求項６９】
前記確定ユニットは具体的に、
前記サブセット制約指示情報に基づいて、SRIの値と前記少なくとも1つの利用可能なSRSリソースサブセットとの対応関係を確定することと、
前記SRIの値と前記少なくとも1つの利用可能なSRSリソースサブセットとの対応関係に基づいて、ターゲットSRSリソースサブセットに対応する前記ターゲットSRIを確定することと、に用いられることを特徴とする請求項59〜68のいずれか1項に記載のネットワーク装置。
【請求項７０】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項59〜69のいずれか1項に記載のネットワーク装置。
【発明の詳細な説明】
【技術分野】
【０００１】
本発明は通信分野に関し、特にアップリンクデータ伝送に用いられる方法、端末装置及びネットワーク装置に関する。
【背景技術】
【０００２】
新無線（new radio、NR）システムにおいて、端末装置は複数のアンテナアレイブロック（panel）を使用してアップリンクデータ伝送を行うことができ、1つのpanelには1セットの物理アンテナが含まれ、各panelには独立した無線チャネルがある。端末装置は複数のpanelにおいて同時にデータを伝送することができるが、異なるpanelに対応するチャネル条件が異なるため、異なるpanelはそれぞれのチャネル情報に基づいて異なる伝送パラメータを採用する必要がある。
【０００３】
これらの伝送パラメータを得るために、異なるpanelに対して異なるチャネルサウンディング参照信号（sounding reference signal、SRS）リソースを設定してアップリンクチャネル情報を取得する必要があり、例えば、1つのpanelは1つのSRSリソースセットに対応してもよく、各SRSリソースは、該panelでの1つの物理アップリンク共有チャネル（physical uplink shared channel、PUSCH）伝送の伝送パラメータを得ることに用いられてもよく、又は、該PUSCHでの1つの伝送層の伝送パラメータを得ることに用いられてもよい。ネットワーク装置はSRSリソース指示（SRS Resource Indicator、SRI）によって1つ又は複数のSRSリソースを指示する必要があり、該1つ又は複数のSRSリソースは現在のアップリンクデータ伝送の伝送パラメータを取得することに用いられてもよい。
【０００４】
しかし、幾つかのアプリケーションシーンにおいて、利用不能なSRSリソース又はSRI指示状態があり、ネットワーク装置は端末装置に対して対応の情報を指示しないため、あるSRIのオーバーヘッドを浪費する。
【発明の概要】
【発明が解決しようとする課題】
【０００５】
本願はアップリンクデータ伝送に用いられる方法、端末装置及びネットワーク装置を提供し、SRIのオーバーヘッドを低減することができる。
【課題を解決するための手段】
【０００６】
第1の態様において、アップリンクデータ伝送に用いられる方法を提供し、該方法は、ネットワーク装置が送信したSRSリソースのサブセット制約指示情報を受信し、前記サブセット制約指示情報は少なくとも1つの利用可能なSRSリソースサブセットを指示することに用いられることと、前記サブセット制約指示情報に基づいて、ネットワーク装置が送信した、アップリンクデータ伝送をスケジューリングするためのダウンリンク制御情報（downlink control information、DCI）におけるSRIの長さを確定することと、前記SRIの長さに基づいて、前記DCIからターゲットSRIを確定することと、前記少なくとも1つの利用可能なSRSリソースサブセットから、前記ターゲットSRIに対応するターゲットSRSリソースサブセットを確定することと、前記ターゲットSRSリソースサブセットに基づいて、前記アップリンクデータ伝送に使用される伝送パラメータを確定することと、を含む。
【０００７】
従って、本願の実施例のアップリンクデータ伝送に用いられる方法によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０００８】
第1の態様に関連して、第1の態様の1つの実施形態において、前記少なくとも1つの利用可能なSRSリソースサブセットにおける各SRSリソースサブセットは、1つのSRSリソースである。
【０００９】
第1の態様及び上記実施形態に関連して、第1の態様の別の実施形態において、前記方法は更に、前記ネットワーク装置が送信したリソースセット指示情報を受信し、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを含む。
【００１０】
第1の態様及び上記実施形態に関連して、第1の態様の別の実施形態において、前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数である。
【００１１】
第1の態様及び上記実施形態に関連して、第1の態様の別の実施形態において、前記少なくとも1つの利用可能なSRSリソースサブセットにおける各SRSリソースサブセットは1つのSRSリソース組合せであり、前記1つのSRSリソース組合せは少なくとも1つのSRSリソースを含む。
【００１２】
第1の態様及び上記実施形態に関連して、第1の態様の別の実施形態において、前記方法は更に、プリセットの少なくとも1つのSRSリソース組合せを確定し、前記サブセット制約指示情報は前記少なくとも1つのSRSリソース組合せにおける少なくとも1つの利用可能なSRSリソース組合せを指示することに用いられることを含む。
【００１３】
選択肢として、プリセットの少なくとも1つのSRSリソース組合せを確定することは、ネットワーク装置が送信したリソース組合せ指示情報を受信することを含み、該リソース組合せ指示情報は前記少なくとも1つのSRSリソース組合せを含む。
【００１４】
第1の態様及び上記実施形態に関連して、第1の態様の別の実施形態において、前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられる。
【００１５】
第1の態様及び上記実施形態に関連して、第1の態様の別の実施形態において、前記少なくとも1つのSRSリソース組合せは、1つのSRSリソースセットにおけるSRSリソースの間のすべての組合せを含む。
【００１６】
第1の態様及び上記実施形態に関連して、第1の態様の別の実施形態において、前記サブセット制約指示情報に基づいて前記SRIの長さを確定することは、前記少なくとも1つの利用可能なSRSリソースサブセットの数に基づいて、前記SRIの長さを確定することを含む。
【００１７】
第1の態様及び上記実施形態に関連して、第1の態様の別の実施形態において、前記少なくとも1つの利用可能なSRSリソースサブセットの数に基づいて、前記SRIの長さを確定することは、前記SRIの長さが
2021512509.tif 000003
に等しいことを確定し、
2021512509.tif 000004
は切り上げを表し、Kは前記少なくとも1つの利用可能なSRSリソースサブセットの数に等しいことを含む。
【００１８】
第1の態様及び上記実施形態に関連して、第1の態様の別の実施形態において、前記方法は更に、前記サブセット制約指示情報に基づいて、SRIの値と前記少なくとも1つの利用可能なSRSリソースサブセットとの対応関係を確定することを含み、前記少なくとも1つの利用可能なSRSリソースサブセットから、前記ターゲットSRIに対応するターゲットSRSリソースサブセットを確定することは、前記SRIの値と前記少なくとも1つの利用可能なSRSリソースサブセットとの対応関係に基づいて、前記少なくとも1つの利用可能なSRSリソースサブセットから、前記ターゲットSRIに対応するターゲットSRSリソースサブセットを確定することを含む。
【００１９】
第1の態様及び上記実施形態に関連して、第1の態様の別の実施形態において、前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含む。
【００２０】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットのアンテナポート数及びターゲットプリコーディングマトリックスインジケーター（precoding matrix indicator、PMI）情報を確定することと、アンテナポート数、PMI情報及びプリコーディングマトリックスの間の対応関係に基づいて、前記ターゲットSRSリソースサブセットのアンテナポート数及び前記ターゲットPMI情報に対応するプリコーディングマトリックスが、前記アップリンクデータ伝送に使用されるプリコーディングマトリックスであることを確定することと、を含む。
【００２１】
第1の態様及び上記実施形態に関連して、第1の態様の別の実施形態において、前記DCIは前記ターゲットPMI情報を含む。
【００２２】
従って、該方法に基づいて、DCIスケジューリングのアップリンクデータ伝送に使用されるプリコーディングマトリックスを得ることで、異なるpanelでのデータ伝送は独立したプリコーディングマトリックスを採用することができ、アップリンクスケジューリングの柔軟性が向上する。
【００２３】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットの総アンテナポート数及び/又は前記ターゲットSRSリソースサブセットに含まれるSRSリソースの数を、前記アップリンクデータ伝送の伝送層数として確定することを含む。
【００２４】
選択肢として、該ターゲットSRSリソースサブセットが1つのSRSリソースである場合、該1つのSRSリソースのアンテナポート数を、アップリンクデータ伝送の伝送層数として確定する。
【００２５】
選択肢として、該ターゲットSRSリソースサブセットが1つのSRSリソース組合せである場合、該1つのSRSリソース組合せに含まれるSRSリソースの数を、アップリンクデータ伝送の伝送層数として確定する。
【００２６】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットにおけるSRSの伝送に使用されるプリコーディングマトリックスを、前記アップリンクデータ伝送に使用されるプリコーディングマトリックスとして確定することを含む。
【００２７】
第1の態様及び上記実施形態に関連して、第1の態様の別の実施形態において、前記ターゲットSRSリソースサブセットはターゲットSRSリソース組合せであり、前記ターゲットSRSリソース組合せにおけるSRSリソースの数はKであり、Kは前記アップリンクデータ伝送に対応するデータ伝送層の層数に等しく、前記ターゲットSRSリソースサブセットにおけるSRSの伝送に使用されるプリコーディングマトリックスを、前記アップリンクデータ伝送に使用されるプリコーディングマトリックスとして確定することは、前記ターゲットSRSリソース組合せにおける各SRSリソースに使用されるプリコーディングマトリックスを確定し、K個のプリコーディングマトリックスを取得することと、前記K個のプリコーディングマトリックスを、K個の前記データ伝送層のプリコーディングマトリックスとして確定し、前記K個のプリコーディングマトリックスはK個の前記データ伝送層に一対一対応することと、を含む。
【００２８】
従って、異なるSRSリソースに対応するアップリンク伝送は、該SRSリソースでのものと同様なプリコーディングマトリックスを採用してもよく、それにより対応のデータを伝送するpanelのチャネル情報とマッチングする。
【００２９】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットの総アンテナポート数及び/又は前記ターゲットSRSリソースサブセットに含まれるSRSリソースの数を、前記アップリンクデータ伝送に使用されるアンテナポート数として確定することを含む。
【００３０】
例えば、該ターゲットSRSリソースサブセットが1つのターゲットSRSリソースである場合、端末装置は該ターゲットSRSリソースのアンテナポート数を、該アップリンクデータ伝送に使用されるアンテナポート数としてもよい。
【００３１】
更に、例えば、該ターゲットSRSリソースサブセットがターゲットSRS組合せであり、該ターゲットSRS組合せが複数のSRSリソースを含み、各SRSリソースがいずれもシングルポートのSRSリソースである場合、端末装置は該複数のSRSリソースの数を、アップリンクデータ伝送に使用されるアンテナポート数として確定してもよい。
【００３２】
従って、該方法によりアップリンクデータ伝送のアンテナポート数を取得することで、異なるpanelでのデータ伝送は独立したアンテナポート数を採用することができ、アップリンクマルチpanelスケジューリングの柔軟性が向上する。
【００３３】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットにおけるSRSを送信するビームを、前記アップリンクデータ伝送に使用されるビームとして確定することを含む。
【００３４】
第1の態様及び上記実施形態に関連して、第1の態様の別の実施形態において、前記ターゲットSRSリソースサブセットはターゲットSRSリソース組合せであり、前記ターゲットSRSリソース組合せにおけるSRSリソースの数はKであり、Kは前記アップリンクデータ伝送に対応するデータ伝送層の層数に等しく、前記ターゲットSRSリソースサブセットにおけるSRSを受信又は送信するビームを、前記アップリンクデータ伝送に使用されるビームとして確定することは、前記ターゲットSRSリソース組合せにおけるSRSの送信に使用されるK個の送信ビームを確定することと、前記K個の送信ビームをK個の前記データ伝送層の送信ビームとし、前記K個の送信ビームはK個のデータ伝送層に一対一対応することと、を含む。
【００３５】
従って、異なる参照信号リソースに対応するアップリンク伝送は、異なるビームを採用してもよく、それにより対応のデータを伝送するpanelのチャネル情報とマッチングする。
【００３６】
第1の態様及び上記実施形態に関連して、第1の態様の別の実施形態において、前記ターゲットSRSリソースサブセットに基づいて、前記アップリンクデータ伝送に使用される伝送パラメータを確定することは、SRSリソースサブセットと電力制御パラメータとの間の対応関係に基づいて、前記ターゲットSRSリソースサブセットに対応する電力制御パラメータを、前記アップリンクデータ伝送に使用される電力制御パラメータとして確定することを含む。
【００３７】
第1の態様及び上記実施形態に関連して、第1の態様の別の実施形態において、前記方法は更に、SRIと電力制御パラメータとの間の対応関係に基づいて、前記ターゲットSRIに対応する電力制御パラメータを、前記アップリンクデータ伝送に使用される電力制御パラメータとして確定することを含む。
【００３８】
第1の態様及び上記実施形態に関連して、第1の態様の別の実施形態において、前記電力制御パラメータは少なくとも、開ループ電力制御パラメータ、閉ループ電力制御パラメータ及びパスロス推定値のうちの1つを含む。
【００３９】
従って、異なる参照信号リソースに対応するアップリンク伝送は、異なる送信電力を採用してもよく、それにより対応のデータを伝送するbeam又はpanelのチャネルゲインとマッチングする。
【００４０】
第1の態様及び上記実施形態に関連して、第1の態様の別の実施形態において、前記ターゲットSRSリソースサブセットに基づいて、前記アップリンクデータ伝送に使用される伝送パラメータを確定することは、前記ターゲットSRSリソースサブセットにおけるSRSを送信するアンテナアレイブロックを、前記アップリンクデータ伝送に使用されるアンテナアレイブロックとして確定することを含む。
【００４１】
例えば、該ターゲットSRSリソースサブセットはSRSリソース組合せであり、端末装置は該SRSリソース組合せにおいてSRSを送信する際に使用されるpanelを、該アップリンクデータを送信するpanelとして確定する。
【００４２】
従って、異なる参照信号リソースに対応するアップリンク伝送は異なるpanelを採用することができ、それにより参照信号に基づいてより良いpanelにおいてデータを伝送することを選択したり、端末の複数のpanelを活用して同時にデータを伝送したりして、アップリンクの伝送性能を向上させることができる。
【００４３】
従って、本願の実施例のアップリンクデータ伝送に用いられる方法によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【００４４】
第2の態様において、アップリンクデータ伝送に用いられる方法を提供し、該方法は、サウンディング参照信号SRSリソースのサブセット制約指示情報を端末装置に送信し、前記サブセット制約指示情報は少なくとも1つの利用可能なSRSリソースサブセットを指示することに用いられることと、前記サブセット制約指示情報に基づいて、アップリンクデータ伝送をスケジューリングするためのダウンリンク制御情報DCIに含まれるSRIの長さを確定することと、前記少なくとも1つの利用可能なSRSリソースサブセットから、ターゲットSRSリソースサブセットを確定し、前記ターゲットSRSリソースサブセットは、前記端末装置が前記アップリンクデータ伝送に使用される伝送パラメータを確定することに用いられることと、前記SRIの長さに基づいて、ターゲットSRIを含む前記DCIを前記端末装置に送信し、前記ターゲットSRIは前記ターゲットSRSリソースサブセットを指示することに用いられることと、を含む。
【００４５】
従って、本願の実施例のアップリンクデータ伝送に用いられる方法によれば、ネットワーク装置は利用可能なSRSリソースサブセットを指示するためのサブセット制約指示情報を端末装置に送信し、そして該サブセット制約指示情報に基づいて、該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【００４６】
第2の態様に関連して、第2の態様の1つの実施形態において、前記少なくとも1つの利用可能なSRSリソースサブセットにおける各SRSリソースサブセットは、1つのSRSリソースである。
【００４７】
第2の態様及び上記実施形態に関連して、第2の態様の別の実施形態において、前記方法は更に、リソースセット指示情報を前記端末装置に送信し、前記リソースセット指示情報は少なくとも1つのSRSリソースセットを指示することに用いられ、前記サブセット制約指示情報は前記少なくとも1つのSRSリソースセットにおける少なくとも1つの利用可能なSRSリソースを指示することに用いられることを含む。
【００４８】
第2の態様及び上記実施形態に関連して、第2の態様の別の実施形態において、前記少なくとも1つのSRSリソースセットはN個のSRSリソースを含み、前記サブセット制約指示情報は前記N個のSRSリソースに一対一対応するリソース指示ビットマップを含み、前記リソース指示ビットマップは前記N個のSRSリソースにおける前記少なくとも1つの利用可能なSRSリソースを指示することに用いられ、Nは正の整数である。
【００４９】
第2の態様及び上記実施形態に関連して、第2の態様の別の実施形態において、前記少なくとも1つの利用可能なSRSリソースサブセットにおける各SRSリソースサブセットは1つのSRSリソース組合せであり、前記1つのSRSリソース組合せは少なくとも1つのSRSリソースを含む。
【００５０】
第2の態様及び上記実施形態に関連して、第2の態様の別の実施形態において、前記方法は更に、プリセットの少なくとも1つのSRSリソース組合せを確定し、前記サブセット制約指示情報は前記少なくとも1つのSRSリソース組合せにおける少なくとも1つの利用可能なSRSリソース組合せを指示することに用いられることを含む。
【００５１】
第2の態様及び上記実施形態に関連して、第2の態様の別の実施形態において、前記サブセット制約指示情報は前記少なくとも1つのSRSリソース組合せに一対一対応するリソース組合せ指示ビットマップを含み、前記リソース組合せ指示ビットマップは前記少なくとも1つのSRSリソース組合せにおける前記少なくとも1つの利用可能なSRSリソース組合せを指示することに用いられる。
【００５２】
第2の態様及び上記実施形態に関連して、第2の態様の別の実施形態において、前記少なくとも1つのSRSリソース組合せは、1つのSRSリソースセットにおけるSRSリソースの間のすべての組合せを含む。
【００５３】
第2の態様及び上記実施形態に関連して、第2の態様の別の実施形態において、前記サブセット制約指示情報に基づいて、アップリンクデータ伝送をスケジューリングするためのDCIに含まれるSRIの長さを確定することは、前記少なくとも1つの利用可能なSRSリソースサブセットの数に基づいて、前記SRIの長さを確定することを含む。
【００５４】
第2の態様及び上記実施形態に関連して、第2の態様の別の実施形態において、前記少なくとも1つの利用可能なSRSリソースサブセットの数に基づいて、前記SRIの長さを確定することは、前記SRIの長さが
2021512509.tif 000005
に等しいことを確定し、
2021512509.tif 000006
は切り上げを表し、Kは前記少なくとも1つの利用可能なSRSリソースサブセットの数に等しいことを含む。
【００５５】
第2の態様及び上記実施形態に関連して、第2の態様の別の実施形態において、前記方法は更に、前記サブセット制約指示情報に基づいて、SRIの値と前記少なくとも1つの利用可能なSRSリソースサブセットとの対応関係を確定することと、前記SRIの値と前記少なくとも1つの利用可能なSRSリソースサブセットとの対応関係に基づいて、ターゲットSRSリソースサブセットに対応する前記ターゲットSRIを確定することと、を含む。
【００５６】
第2の態様及び上記実施形態に関連して、第2の態様の別の実施形態において、前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含む。
【００５７】
従って、本願の実施例のアップリンクデータ伝送に用いられる方法によれば、ネットワーク装置は利用可能なSRSリソースサブセットを指示するためのサブセット制約指示情報を端末装置に送信し、そして該サブセット制約指示情報に基づいて、該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【００５８】
第3の態様において、上記第1の態様又は第1の態様の任意可能な実施形態における方法を実行することに用いられる装置を提供する。具体的に、該装置は、上記第1の態様又は第1の態様の任意可能な実施形態における方法を実行するためのユニットを備える。
【００５９】
第4の態様において、上記第2の態様又は第2の態様の任意可能な実施形態における方法を実行することに用いられる装置を提供する。具体的に、該装置は、上記第2の態様又は第2の態様の任意可能な実施形態における方法を実行するためのユニットを備える。
【００６０】
第5の態様において、記憶ユニットとプロセッサを備える装置を提供し、該記憶ユニットは指令を記憶することに用いられ、該プロセッサは該メモリに記憶される指令を実行することに用いられ、該プロセッサが該メモリに記憶される指令を実行する場合、該実行によって該プロセッサは第1の態様又は第1の態様の任意可能な実施形態における方法を実行する。
【００６１】
第6の態様において、記憶ユニットとプロセッサを備える装置を提供し、該記憶ユニットは指令を記憶することに用いられ、該プロセッサは該メモリに記憶される指令を実行することに用いられ、該プロセッサが該メモリに記憶される指令を実行する場合、該実行によって該プロセッサは第2の態様又は第2の態様の任意可能な実施形態における方法を実行する。
【００６２】
第7の態様において、コンピュータプログラムを記憶することに用いられるコンピュータ読み取り可能な媒体を提供し、該コンピュータプログラムは第1の態様又は第1の態様の任意可能な実施形態における方法を実行することに用いられる指令を含む。
【００６３】
第8の態様において、コンピュータプログラムを記憶することに用いられるコンピュータ読み取り可能な媒体を提供し、該コンピュータプログラムは第2の態様又は第2の態様の任意可能な実施形態における方法を実行することに用いられる指令を含む。
【００６４】
第9の態様において、指令を含むコンピュータプログラム製品を提供し、コンピュータが前記コンピュータプログラム製品の前記指令を実行する場合、前記コンピュータは上記第1の態様又は第1の態様の任意可能な実施形態におけるアップリンクデータ伝送に用いられる方法を実行する。具体的に、該コンピュータプログラム製品は、上記第3の態様の端末装置で動作可能である。
【００６５】
第10の態様において、指令を含むコンピュータプログラム製品を提供し、コンピュータが前記コンピュータプログラム製品の前記指令を実行する場合、前記コンピュータは上記第2の態様又は第2の態様の任意可能な実施形態におけるアップリンクデータ伝送に用いられる方法を実行する。具体的に、該コンピュータプログラム製品は、上記第4の態様のネットワーク装置で動作可能である。
【図面の簡単な説明】
【００６６】
【図１】図1は本願の実施例によるアップリンクデータ伝送に用いられる方法の模式的なフローチャートである。
【図２】図2は本願の実施例によるアップリンクデータ伝送に用いられる方法の他の模式的なフローチャートである。
【図３】図3は本願の実施例による端末装置の模式的なブロック図である。
【図４】図4は本願の実施例によるネットワーク装置の模式的なブロック図である。
【図５】図5は本願の実施例による端末装置の他の模式的なブロック図である。
【図６】図6は本願の実施例によるネットワーク装置の他の模式的なブロック図である。
【発明を実施するための形態】
【００６７】
以下、図面を参照して、本願の実施例による技術的手段を説明する。
【００６８】
本願の実施例による技術的手段は、例えば、グローバル移動体通信（global system of mobile communication、GSMC）システム、符号分割多元接続(code division multiple access、CDMA)システム、広帯域符号分割多元接続(wideband code division multiple access、WCDMA)システム、汎用パケット無線サービス(general packet radio service、GPRS)、ロングタームエボリューション(long term evolution、LTE)システム、LTE周波数分割複信（frequency division duplex、FDD）システム、LTE時分割複信（Time Division Duplex、TDD）、汎用移動体通信システム（universal mobile telecommunication system、UMTS）、マイクロ波利用アクセスに関する世界的な相互運用（worldwide interoperability for microwave access、WiMAX）通信システム、将来の第5世代(5th generation、5G)システム又は新無線（new radio、NR）等の様々な通信システムに適用可能である。
【００６９】
本願の実施例における端末装置とは、ユーザ装置、アクセス端末、ユーザユニット、ユーザ局、移動基地局、移動局、遠方局、遠隔端末、移動装置、ユーザ端末、端末、無線通信装置、ユーザエージェント又はユーザデバイスを指してもよい。端末装置は、セルラー電話、コードレス電話、セッション開始プロトコル(session initiation protocol、SIP)電話、ワイヤレスローカルループ(wireless local loop、WLL)局、パーソナルデジタルアシスタント（personal digital assistant、PDA）、無線通信機能を備えるハンドヘルド装置、計算装置又は無線モデムに接続される他の処理装置、車載装置、ウェアラブルデバイス、将来の5Gネットワークにおける端末装置又は将来進化する公衆地上移動通信ネットワーク（public land mobile network、PLMN）における端末装置等であってもよいが、本願の実施例はこれを限定しない。
【００７０】
本願の実施例におけるネットワーク装置は端末装置と通信することに用いられる装置であってもよく、該ネットワーク装置はGSMCシステム又はCDMAにおける基地局（base transceiver station、BTS）であってもよく、WCDMAシステムにおける基地局（NodeB、NB）であってもよく、更にLTEシステムにおける進化型基地局（evolutional NodeB、eNB又はeNodeB）であってもよく、またクラウド無線アクセスネットワーク（cloud radio access network、CRAN）シーンでの無線コントローラであってもよく、或いは、該ネットワーク装置は中継局、アクセスポイント、車載装置、ウェアラブルデバイス及び将来の5Gネットワークにおけるネットワーク装置又は将来進化するPLMNネットワークにおけるネットワーク装置等であってもよいが、本願の実施例は限定しない。
【００７１】
図1は本願の実施例によるアップリンクデータ伝送に用いられる方法100の模式的なフローチャートを示し、該方法100は端末装置により実行されてもよい。図1に示すように、該方法100は、ネットワーク装置が送信したSRSリソースのサブセット制約指示情報を受信し、該サブセット制約指示情報は少なくとも1つの利用可能なSRSリソースサブセットを指示することに用いられるS110と、該サブセット制約指示情報に基づいて、ネットワーク装置が送信した、アップリンクデータ伝送をスケジューリングするためのダウンリンク制御情報DCIにおけるSRIの長さを確定するS120と、該SRIの長さに基づいて、該DCIからターゲットSRIを確定するS130と、該少なくとも1つの利用可能なSRSリソースサブセットから、該ターゲットSRIに対応するターゲットSRSリソースサブセットを確定するS140と、該ターゲットSRSリソースサブセットに基づいて、該アップリンクデータ伝送に使用される伝送パラメータを確定するS150と、を含む。
【００７２】
本願の実施例において、端末装置はネットワーク装置が送信したサブセット制約指示情報を受信し、該サブセット制約指示情報は少なくとも1つの利用可能なSRSリソースサブセットを指示することに用いられ、該少なくとも1つの利用可能なSRSリソースサブセットにおける各SRSリソースサブセットは1つのSRSリソース又は1つのSRSリソース組合せであってもよく、各SRSリソース組合せは複数のSRSリソースを含んでもよい。
【００７３】
選択肢として、1つの実施例として、該少なくとも1つの利用可能なSRSリソースサブセットにおける各SRSリソースサブセットが1つのSRSリソースであってもよく、即ち該少なくとも1つの利用可能なSRSリソースサブセットは少なくとも1つの利用可能なSRSリソースである。これに対応して、端末装置は少なくとも1つのSRSリソースセットを確定して、サブセット制約指示情報に基づいて、該少なくとも1つのSRSリソースセットから少なくとも1つの利用可能なSRSリソースを確定することができ、該少なくとも1つの利用可能なSRSリソースは現在の端末装置のPUSCH伝送に用いられてもよい。
【００７４】
具体的に、ネットワーク装置は端末装置に対して、N個のSRSリソースを含む少なくとも1つのSRSリソースセットを設定することができ、例えば、該端末装置はネットワーク装置が送信したリソースセット指示情報を受信し、該リソースセット指示情報は該少なくとも1つのSRSリソースセットを指示する。端末装置はサブセット制約指示情報に基づいて、該N個のSRSリソースにおけるM個のSRSリソースが、少なくとも1つの利用可能なSRSリソースであることを指示する。
【００７５】
選択肢として、該サブセット制約指示情報はリソース指示ビットマップであってもよく、該リソース指示ビットマップは該少なくとも1つのSRSリソースセットに含まれるN個のSRSリソースに一対一対応し、即ち、該リソース指示ビットマップはNビットを含んでもよく、各ビットはN個のSRSリソースにおける1つのSRSリソースに対応する。例えば、ビットの値が「1」であれば、対応するSRSリソースがイネーブルであることを示す。該リソース指示ビットマップに基づいて、少なくとも1つの利用可能なSRSリソースを取得することができ、該少なくとも1つの利用可能なSRSリソースはPUSCHを伝送することに用いられることができる。
【００７６】
選択肢として、該N個のSRSリソースのうち、該M個の利用可能なSRSリソースに加えて、他のN-M個のSRSリソースもSRSの送信に用いられてもよいが、PUSCHのアップリンクチャネル状態情報（channel state information、CSI）の取得に用いられなく、他の用途、例えば、ネットワーク装置がチャネル相互性に基づいてダウンリンクチャネル情報を取得することに用いられてもよく、本願の実施例はこれに限定されない。
【００７７】
理解できるように、本願の実施例におけるSRSリソースセットは少なくとも1つのSRSリソースを含んでもよく、各SRSセットは同じ機能に用いられるが、異なるSRSリソースセットは異なる機能を有してもよい。同一のSRSリソースセットにおいて異なるSRSリソースは少なくとも1つの同じパラメータを有し、例えば、該同じパラメータは、電力制御パラメータ、伝送帯域幅パラメータ、アンテナポート数、1つのタイムスロット内に占有される直交周波数分割多重（Orthogonal Frequency Division Multiplexing、OFDM）シンボル数、1つのタイムスロット内での信号重複数、機能設定、伝送タイムスロットのうちの少なくとも1つであってもよいが、本願の実施例はこれに限定されない。ネットワーク装置は、各SRSリソースセットに対して前記同じパラメータを設定してもよく、セットにおける各参照信号リソースに対してそれぞれこれらのパラメータを設定する必要がなく、それによりシグナリングオーバーヘッドは節約される。
【００７８】
選択肢として、1つの実施例として、該少なくとも1つの利用可能なSRSリソースサブセットにおける各SRSリソースサブセットが1つのSRSリソース組合せであってもよく、即ち該少なくとも1つの利用可能なSRSリソースサブセットは少なくとも1つの利用可能なSRSリソース組合せである。対応的に、端末装置はプリセットの少なくとも1つのSRSリソース組合せを確定することができ、各SRSリソース組合せは複数のSRSリソースを含んでもよく、例えば、端末装置とネットワーク装置は該少なくとも1つのSRSリソース組合せを予め決め、又は該端末装置はネットワーク装置が送信したリソース組合せ指示情報を受信することができ、該リソース組合せ指示情報は該少なくとも1つのSRSリソース組合せを指示することに用いられる。端末装置は該サブセット制約指示情報に基づいて、該少なくとも1つのSRSリソース組合せから少なくとも1つの利用可能なSRSリソース組合せを確定し、該少なくとも1つの利用可能なSRSリソース組合せは現在の端末装置のPUSCH伝送に用いられてもよい。
【００７９】
理解できるように、該少なくとも1つのSRSリソース組合せにおけるSRSリソースは、1つのSRSリソースセットからのものであってもよく、複数のSRSリソースセットからのものであってもよく、異なるSRSリソースセットの設定パラメータは異なってもよい。
【００８０】
例えば、該少なくとも1つのSRSリソース組合せは、1つのSRSリソースセットにおけるSRSリソースの間のすべての可能な組合せを含んでもよい。
【００８１】
更に、例えば、該少なくとも1つのSRSリソース組合せは、複数のSRSリソースセットからのものであってもよく、各SRSリソース組合せにおけるSRSリソースは1つのSRSリソースセットに属する。
【００８２】
理解できるように、端末装置はサブセット制約指示情報に基づいて、該プリセットの少なくとも1つのSRSリソース組合せから少なくとも1つの利用可能なSRSリソース組合せを確定し、該少なくとも1つの利用可能なSRSリソース組合せは1つ又は複数のSRSリソースセットを含んでもよい。
【００８３】
例えば、該少なくとも1つの利用可能なSRSリソース組合せに含まれるSRSリソースは、予め定義された複数のSRSリソースにおける最初のn個のSRSリソースのうちの少なくとも1つのSRSリソース、又は、後のn個のSRSリソースのうちの少なくとも1つのSRSリソースであってもよい。
【００８４】
更に、例えば、該少なくとも1つの利用可能なSRSリソース組合せに含まれるSRSリソースは、1つのSRSリソースセットにおけるSRSリソースであってもよく、或いは、該少なくとも1つの利用可能なSRSリソース組合せに含まれるSRSリソースは、複数のSRSリソースセットにおけるSRSリソースであってもよい。
【００８５】
理解できるように、該サブセット制約指示情報は、該少なくとも1つのSRSリソース組合せに一対一対応するリソース組合せ指示ビットマップを含んでもよく、該リソース組合せ指示ビットマップは、該少なくとも1つのSRSリソース組合せにおける少なくとも1つの利用可能なSRSリソース組合せを指示することに用いられ、例えば、該リソース組合せ指示ビットマップの長さは該少なくとも1つのSRSリソース組合せの数に等しくてもよい。
【００８６】
例えば、ネットワーク装置は端末装置に対してN個のシングルポートSRSリソースを予め設定し、該N個のSRSリソースは複数のSRSリソース組合せを含んでもよく、サブセット制約指示情報は、該N個のSRSリソースに含まれるSRSリソース組合せにおける少なくとも1つの利用可能なSRSリソース組合せを指示することに用いられてもよい。例えば、N=2とすると、[0 1]、[1 0]、[1 1]という3種のSRSリソース組合せを有してもよく、その中、1は対応のSRSリソースが組合せにあることを示し、0は組合せにないことを示す。このとき、サブセット制約指示情報により、ネットワーク装置は、これらの可能な組合せにおける利用可能なSRSリソース組合せを指示することができる。例えば、ネットワーク装置はビットマップ（bitmap）の方式で指示してもよく、各ビットは1種の可能なリソース組合せに対応し、例えばbitmap=[1 1 0]は最初の2種の組合せ（[0 1]、[1 0]）のみが利用可能であることを示す。
【００８７】
従って、ネットワーク装置はサブセット制約指示情報によって、現在のアップリンク伝送に単一のpanelを使用するように端末装置を制限して（即ち、SRSリソース組合せに単一のpanelのみが含まれるSRSリソース)、panel選択を行い、或いは、現在のアップリンク伝送に複数のpanelを同時に使用するように端末装置を制限して(即ち、SRSリソース組合せに複数のpanelが含まれる必要があるSRSリソース)、panel同時伝送を行うことができる。
【００８８】
S120において、端末装置は該サブセット制約指示情報に基づいて、ネットワーク装置が送信した、アップリンクデータ伝送をスケジューリングするためのダウンリンク制御情報DCIにおけるSRIの長さを確定することができる。具体的に、端末装置は該サブセット制約指示情報で指示された少なくとも1つのSRSリソースサブセットの数に基づいて、DCIにおけるSRIの長さを確定することができる。
【００８９】
具体的に、端末装置はSRIのビット数が
2021512509.tif 000007
であることを確定することができ、ここで、Kは該少なくとも1つの利用可能なSRSリソースサブセットの数であり、
2021512509.tif 000008
は切り上げを示す。
【００９０】
選択肢として、端末装置はSRIのビット数を、少なくとも1つの利用可能なSRSリソースサブセットの数に等しいと設定してもよく、即ち、該SRIはビットマップであり、該ビットマップは少なくとも1つの利用可能なSRSリソースサブセットにおけるSRSリソースサブセットに一対一対応し、各ビットマップの値により、対応の利用可能なSRSリソースサブセットが該SRIが指示するターゲットSRSリソースサブセットであるかどうかを確定する。
【００９１】
このように、サブセット制約指示情報はSRIが指示する内容を減らすことができるため、SRIのビット数を低減することができる。
【００９２】
本願の実施例において、端末装置は該サブセット制約指示情報に基づいて、異なるSRIが指示する異なるSRSリソースサブセットを確定しもてよい。具体的に、サブセット制約指示情報が指示する少なくとも1つの利用可能なSRSリソースサブセットに基づいて、端末装置は、異なるSRIと該少なくとも1つの利用可能なSRSリソースサブセットにおける異なるSRSリソースサブセットとの間の対応関係を確定することができ、各利用可能なSRSリソースサブセットは1つのSRIに対応する。
【００９３】
例えば、端末装置とネットワーク装置との間にはN個のSRSリソースが予め設定された場合、N=2とすると、[0 1]、[1 0]、[1 1]という3種のSRSリソース組合せを有してもよく、その中、1は対応のSRSリソースが組合せにあることを示し、0は組合せにないことを示す。このとき、サブセット制約指示情報により、ネットワーク装置は、これらの可能な組合せにおける利用可能なSRSリソース組合せを指示することができる。例えば、ネットワーク装置はビットマップ（bitmap）の方式で指示してもよく、各ビットは1種の可能なリソース組合せに対応し、例えばbitmap=[1 1 0]は最初の2種の組合せ（[0 1]、[1 0]）のみが利用可能なSRSリソース組合せであることを示す。利用可能なSRSリソース組合せの数は2であるため、公式の
2021512509.tif 000009
から分かるように、1ビットのSRIだけで該2つの利用可能なSRSリソース組合せを指示し、例えば、「1」で利用可能なSRSリソース組合せにおける[1 0]を示し、「0」で利用可能なSRSリソース組合せにおける[1 0]を示す。
【００９４】
S130において、端末装置は確定したSRIの長さに基づいて、受信したネットワーク装置が送信した該DCIからターゲットSRIを確定し、S140において、端末装置はSRIと利用可能なSRSリソースサブセットとの間の対応関係に基づいて、該少なくとも1つの利用可能なSRSリソースサブセットから、該ターゲットSRIに対応するSRSリソースサブセットをターゲットSRSリソースサブセットとして確定する。
【００９５】
このように、端末装置とネットワーク装置との間にはSRIによって利用可能なSRSリソースサブセットにおけるターゲットSRSリソースサブセットを指示することで、採用されないSRI指示内容の一部を減らして、DCIにおけるSRIのオーバーヘッドを減らすことができる。
【００９６】
S150において、端末装置はターゲットSRSリソースサブセットに基づいて、DCIスケジューリングのアップリンクデータ伝送に使用される伝送パラメータを確定し、ここで、該アップリンクデータ伝送に使用される伝送パラメータは、プリコーディングマトリックス、伝送層数、アンテナポート数、送信ビーム、電力制御パラメータ及びアンテナアレイブロックのうちの少なくとも1つを含む。
【００９７】
選択肢として、1つの実施例として、端末装置は、アンテナポート数、PMI情報及びプリコーディングマトリックスの間の対応関係に基づいて、該第1のアップリンクデータ伝送に使用されるプリコーディングマトリックスを確定してもよい。具体的に、端末装置は、該ターゲットSRSリソースサブセットのアンテナポート数及びターゲットPMI情報を確定し、アンテナポート数、PMI情報及びプリコーディングマトリックスの間の対応関係に基づいて、該ターゲットSRSリソースサブセットのアンテナポート数及びターゲットPMI情報に対応するプリコーディングマトリックスを、該アップリンクデータ伝送に使用されるプリコーディングマトリックスとする。
【００９８】
選択肢として、端末装置が受信した、ネットワーク装置の送信したDCIは、該ターゲットPMI情報を含んでもよい。
【００９９】
選択肢として、該アンテナポート数、PMI情報及びプリコーディングマトリックスの間の対応関係は、予め約束されたものであってもよい。
【０１００】
選択肢として、該ターゲットSRSリソースサブセットのアンテナポート数は、該SRSを伝送するpanelに含まれるアンテナポート数に等しい。
【０１０１】
従って、該方法に基づいて、DCIスケジューリングのアップリンクデータ伝送に使用されるプリコーディングマトリックスを得ることで、異なるpanelでのデータ伝送は独立したプリコーディングマトリックスを採用することができ、アップリンクスケジューリングの柔軟性が向上する。
【０１０２】
選択肢として、1つの実施例として、端末装置は該ターゲットSRSリソースサブセットの総アンテナポート数及び/又は該ターゲットSRSリソースサブセットに含まれるSRSリソースの数を、該アップリンクデータ伝送の伝送層数として確定してもよい。例えば、ターゲットSRSリソースサブセットがターゲットSRSリソース組合せであり、該ターゲットSRSリソース組合せがK個のSRSリソースを含む場合、該アップリンクデータ伝送の伝送層数はKである。更に、例えば、該ターゲットSRSリソースサブセットが1つのターゲットSRSリソースである場合、端末装置は該ターゲットSRSリソースのアンテナポート数を該アップリンクデータ伝送の伝送層数として確定する。
【０１０３】
選択肢として、1つの実施例として、端末装置は該ターゲットSRSリソースサブセットにおけるSRSの伝送に使用されるプリコーディングマトリックスを、該第1のアップリンクデータ伝送に使用されるプリコーディングマトリックスとして確定してもよい。
【０１０４】
具体的に、該ターゲットSRSリソースサブセットがターゲットSRSリソース組合せであり、該ターゲットSRSリソース組合せがK個のSRSリソースを含み、Kが該アップリンクデータ伝送に対応するデータ伝送層の層数に等しい場合、端末装置は該K個のSRSリソースに使用されるK個のプリコーディングマトリックスを確定し、該K個のプリコーディングマトリックスをそれぞれK個の該データ伝送層のプリコーディングマトリックスとして確定し、該K個のプリコーディングマトリックスはK個の該データ伝送層に一対一対応し、即ち1つのプリコーディングマトリックスは1つのデータ伝送層に対応する。
【０１０５】
従って、異なるSRSリソースに対応するアップリンク伝送は、該SRSリソースでのものと同様なプリコーディングマトリックスを採用してもよく、それにより対応のデータを伝送するpanelのチャネル情報とマッチングする。
【０１０６】
選択肢として、1つの実施例として、端末装置は該ターゲットSRSリソースサブセットの総アンテナポート数及び/又は該少なくとも1つのSRSリソースの数を、該アップリンクデータ伝送に使用されるアンテナポート数として確定する。
【０１０７】
例えば、該ターゲットSRSリソースサブセットが1つのターゲットSRSリソースである場合、端末装置は該ターゲットSRSリソースのアンテナポート数を、該アップリンクデータ伝送に使用されるアンテナポート数としてもよい。
【０１０８】
更に、例えば、該ターゲットSRSリソースサブセットがターゲットSRS組合せであり、該ターゲットSRS組合せが複数のSRSリソースを含み、各SRSリソースがいずれもシングルポートのSRSリソースである場合、端末装置は該複数のSRSリソースの数を、アップリンクデータ伝送に使用されるアンテナポート数として確定してもよい。
【０１０９】
選択肢として、コードブックに基づく伝送に対して、端末装置は該アップリンクデータ伝送に使用されるアンテナポート数に基づいて、対応するコードブックを確定してもよく、コードブックに基づかない伝送に対して、端末装置は該アンテナポート数に基づいて、対応するアップリンクデータの伝送層数を確定してもよい。
【０１１０】
従って、該方法によりアップリンクデータ伝送のアンテナポート数を取得することで、異なるpanelでのデータ伝送は独立したアンテナポート数を採用することができ、アップリンクマルチpanelスケジューリングの柔軟性が向上する。
【０１１１】
選択肢として、1つの実施例として、該端末装置は該ターゲットSRSリソースサブセットにおけるSRSを受信又は送信するビームを、該第1のアップリンクデータ伝送に使用されるビームとして確定してもよい。
【０１１２】
例えば、該端末装置は該SRSリソースにおいてSRSを送信する際に使用するビームを、該第1のアップリンクデータ伝送の送信ビームとして確定する。
【０１１３】
更に、例えば、該ターゲットSRSリソースサブセットはターゲットSRS組合せであり、該ターゲットSRS組合せはK個のSRSリソースを含み、Kは該アップリンクデータ伝送に対応するデータ伝送層の層数に等しく、端末装置は該K個のSRSリソースにおけるSRSリソースを送信する際に使用されるK個の送信ビームを確定して、該K個の送信ビームをK個の該データ伝送層の送信ビームとして確定し、該K個の送信ビームはK個のデータ伝送層に一対一対応する。
【０１１４】
従って、異なる参照信号リソースに対応するアップリンク伝送は、異なるビームを採用してもよく、それにより対応のデータを伝送するpanelのチャネル情報とマッチングする。
【０１１５】
選択肢として、1つの実施例として、該端末装置はSRSリソースサブセットと電力制御パラメータとの間の対応関係に基づいて、該ターゲットSRSリソースサブセットに対応する電力制御パラメータを、該アップリンクデータ伝送に使用される送信電力として確定してもよい。ここで、該ターゲットSRSリソースサブセットは、1つのSRS組合せ又は1つのSRSリソースである。
【０１１６】
或いは、該端末装置はSRIと電力制御パラメータとの間の対応関係に基づいて、該ターゲットSRIに対応する電力制御パラメータを、該アップリンクデータ伝送に使用される送信電力として確定してもよい。
【０１１７】
理解できるように、該SRSリソースサブセットと電力制御パラメータとの間の対応関係、及び/又は、SRIと電力制御パラメータとの間の対応関係は、ネットワーク装置が該端末装置に対して予め設定するものであってもよく、本願の実施例はこれに限定されない。
【０１１８】
理解できるように、上記電力制御パラメータは少なくとも、開ループ電力制御パラメータ、閉ループ電力制御パラメータ及びパスロス推定値のうちの1つを含んでもよい。
【０１１９】
従って、異なる参照信号リソースに対応するアップリンク伝送は、異なる送信電力を採用してもよく、それにより対応のデータを伝送するbeam又はpanelのチャネルゲインとマッチングする。
【０１２０】
選択肢として、1つの実施例として、該端末装置は該ターゲットSRSリソースサブセットにおけるSRSを受信又は送信するpanelを、該アップリンクデータ伝送に使用されるpanelとして確定してもよい。
【０１２１】
例えば、該ターゲットSRSリソースサブセットはSRSリソース組合せであり、端末装置は該SRSリソース組合せにおいてSRSを送信する際に使用されるpanelを、該アップリンクデータを送信するpanelとして確定する。
【０１２２】
従って、異なる参照信号リソースに対応するアップリンク伝送は異なるpanelを採用することができ、それにより参照信号に基づいてより良いpanelにおいてデータを伝送することを選択したり、端末の複数のpanelを活用して同時にデータを伝送したりして、アップリンクの伝送性能を向上させることができる。
【０１２３】
本願の実施例において、ターゲットSRSリソースサブセットは、1つのSRSリソース組合せ又は1つのSRSリソースであってもよく、該1つのSRSリソース組合せ又は1つのSRSリソースは、ネットワーク装置が該アップリンクデータ伝送のためのCSIを取得するSRSリソースであり、該アップリンクCSIは、ランクインジケータ（rank indication、RI）、PMI又はチャネル品質指示（channel quality indicator、CQI）等であってもよく、前記アップリンク伝送の変調符号化方式MCSと周波数領域リソーススケジューリングの取得に用いられる。
【０１２４】
従って、本願の実施例のアップリンクデータ伝送に用いられる方法によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１２５】
以上では図1を参照して、端末装置の角度から本願の実施例によるアップリンクデータ伝送に用いられる方法を詳細に説明したが、以下では図2を参照して、ネットワーク装置の角度から本願の実施例によるアップリンクデータ伝送に用いられる方法を詳細に説明する。
【０１２６】
図2は本願の実施例によるアップリンクデータ伝送に用いられる方法200の模式的なフローチャートを示し、該方法200はネットワーク装置により実行されてもよい。図2に示すように、該方法200は、サウンディング参照信号SRSリソースのサブセット制約指示情報を端末装置に送信し、該サブセット制約指示情報は少なくとも1つの利用可能なSRSリソースサブセットを指示することに用いられるS210と、該サブセット制約指示情報に基づいて、アップリンクデータ伝送をスケジューリングするためのDCIに含まれるSRIの長さを確定するS220と、該少なくとも1つの利用可能なSRSリソースサブセットから、ターゲットSRSリソースサブセットを確定し、該ターゲットSRSリソースサブセットは、該端末装置が該アップリンクデータ伝送に使用される伝送パラメータを確定することに用いられるS230と、該SRIの長さに基づいて、ターゲットSRIを含む該DCIを該端末装置に送信し、該ターゲットSRIは該ターゲットSRSリソースサブセットを指示することに用いられるS240と、を含む。
【０１２７】
従って、本願の実施例のアップリンクデータ伝送に用いられる方法によれば、ネットワーク装置は利用可能なSRSリソースサブセットを指示するためのサブセット制約指示情報を端末装置に送信し、そして該サブセット制約指示情報に基づいて、該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１２８】
選択肢として、該少なくとも1つの利用可能なSRSリソースサブセットにおける各SRSリソースサブセットは、1つのSRSリソースである。
【０１２９】
選択肢として、該方法は更に、リソースセット指示情報を該端末装置に送信し、該リソースセット指示情報は少なくとも1つのSRSリソースセットを指示することに用いられ、該サブセット制約指示情報は該少なくとも1つのSRSリソースセットにおける少なくとも1つの利用可能なSRSリソースを指示することに用いられることを含む。
【０１３０】
選択肢として、該少なくとも1つのSRSリソースセットはN個のSRSリソースを含み、該サブセット制約指示情報は該N個のSRSリソースに一対一対応するリソース指示ビットマップを含み、該リソース指示ビットマップは該N個のSRSリソースにおける該少なくとも1つの利用可能なSRSリソースを指示することに用いられ、Nは正の整数である。
【０１３１】
選択肢として、該少なくとも1つの利用可能なSRSリソースサブセットにおける各SRSリソースサブセットは1つのSRSリソース組合せであり、該1つのSRSリソース組合せは少なくとも1つのSRSリソースを含む。
【０１３２】
選択肢として、該方法は更に、プリセットの少なくとも1つのSRSリソース組合せを確定し、該サブセット制約指示情報は該少なくとも1つのSRSリソース組合せにおける少なくとも1つの利用可能なSRSリソース組合せを指示することに用いられることを含む。
【０１３３】
選択肢として、該サブセット制約指示情報は該少なくとも1つのSRSリソース組合せに一対一対応するリソース組合せ指示ビットマップを含み、該リソース組合せ指示ビットマップは該少なくとも1つのSRSリソース組合せにおける該少なくとも1つの利用可能なSRSリソース組合せを指示することに用いられる。
【０１３４】
選択肢として、該少なくとも1つのSRSリソース組合せは、1つのSRSリソースセットにおけるSRSリソースの間のすべての組合せを含む。
【０１３５】
選択肢として、該サブセット制約指示情報に基づいて、アップリンクデータ伝送をスケジューリングするためのDCIに含まれるSRIの長さを確定することは、該少なくとも1つの利用可能なSRSリソースサブセットの数に基づいて、該SRIの長さを確定することを含む。
【０１３６】
選択肢として、該少なくとも1つの利用可能なSRSリソースサブセットの数に基づいて、該SRIの長さを確定することは、該SRIの長さが
2021512509.tif 000010
に等しいことを確定し、
2021512509.tif 000011
は切り上げを表し、Kは該少なくとも1つの利用可能なSRSリソースサブセットの数に等しいことを含む。
【０１３７】
選択肢として、該方法は更に、該サブセット制約指示情報に基づいて、SRIの値と該少なくとも1つの利用可能なSRSリソースサブセットとの対応関係を確定することと、該SRIの値と該少なくとも1つの利用可能なSRSリソースサブセットとの対応関係に基づいて、ターゲットSRSリソースサブセットに対応する該ターゲットSRIを確定することと、を含む。
【０１３８】
選択肢として、該アップリンクデータ伝送に使用される該伝送パラメータは、プリコーディングマトリックス、伝送層数、アンテナポート数、送信ビーム、電力制御パラメータ及びアンテナアレイブロックのうちの少なくとも1つを含む。
【０１３９】
理解できるように、本願の実施例における方法200のネットワーク装置は方法100のネットワーク装置に対応することができ、該方法200の端末装置は方法100の端末装置に対応することができ、ここでは繰り返して説明しない。
【０１４０】
従って、本願の実施例のアップリンクデータ伝送に用いられる方法によれば、ネットワーク装置は利用可能なSRSリソースサブセットを指示するためのサブセット制約指示情報を端末装置に送信し、そして該サブセット制約指示情報に基づいて、及び該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１４１】
理解できるように、本願の様々な実施例において、上記各過程の番号の大きさは実行順序の前後を意味するものではなく、各過程の実行順序はその機能と内的論理によって決定されるべきであり、本願の実施例の実施過程に対する何ら限定ではない。
【０１４２】
また、本明細書における用語の「及び/又は」は、単に関連対象の関連関係を記述するものであり、3つの関係が存在し得ることを示し、例えば、A及び/又はBは、Aが単独で存在する場合、AとBが同時に存在する場合、Bが単独で存在する場合の3つの場合を表すことができる。また、本文中の文字「/」は、一般的に前後関連対象が「又は」の関係であることを示す。
【０１４３】
以上は図1〜図2を参照して、本願の実施例によるアップリンクデータ伝送に用いられる方法を詳細に説明した。以下、図3〜図6を参照して、本願の実施例による端末装置及びネットワーク装置を説明する。
【０１４４】
図3に示すように、本願の実施例による端末装置300は、受信ユニット310と確定ユニット320を備える。具体的に、該受信ユニット310はネットワーク装置が送信したサウンディング参照信号SRSリソースのサブセット制約指示情報を受信することに用いられ、該サブセット制約指示情報は少なくとも1つの利用可能なSRSリソースサブセットを指示することに用いられ、該確定ユニット320は該サブセット制約指示情報に基づいて、ネットワーク装置が送信した、アップリンクデータ伝送をスケジューリングするためのダウンリンク制御情報DCIにおけるSRIの長さを確定することに用いられ、該確定ユニット320は更に、該SRIの長さに基づいて、該DCIからターゲットSRIを確定することに用いられ、該確定ユニット320は更に、該少なくとも1つの利用可能なSRSリソースサブセットから、該ターゲットSRIに対応するターゲットSRSリソースサブセットを確定することに用いられ、該確定ユニット320は更に、該ターゲットSRSリソースサブセットに基づいて、該アップリンクデータ伝送に使用される伝送パラメータを確定することに用いられる。
【０１４５】
従って、本願の実施例の端末装置によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１４６】
選択肢として、該少なくとも1つの利用可能なSRSリソースサブセットにおける各SRSリソースサブセットは、1つのSRSリソースである。
【０１４７】
選択肢として、該受信ユニット310は更に、該ネットワーク装置が送信したリソースセット指示情報を受信することに用いられ、該リソースセット指示情報は少なくとも1つのSRSリソースセットを指示することに用いられ、該サブセット制約指示情報は該少なくとも1つのSRSリソースセットにおける少なくとも1つの利用可能なSRSリソースを指示することに用いられる。
【０１４８】
選択肢として、該少なくとも1つのSRSリソースセットはN個のSRSリソースを含み、該サブセット制約指示情報は該N個のSRSリソースに一対一対応するリソース指示ビットマップを含み、該リソース指示ビットマップは該N個のSRSリソースにおける該少なくとも1つの利用可能なSRSリソースを指示することに用いられ、Nは正の整数である。
【０１４９】
選択肢として、該少なくとも1つの利用可能なSRSリソースサブセットにおける各SRSリソースサブセットは1つのSRSリソース組合せであり、該1つのSRSリソース組合せは少なくとも1つのSRSリソースを含む。
【０１５０】
選択肢として、該確定ユニット320は更に、プリセットの少なくとも1つのSRSリソース組合せを確定することに用いられ、該サブセット制約指示情報は該少なくとも1つのSRSリソース組合せにおける少なくとも1つの利用可能なSRSリソース組合せを指示することに用いられる。
【０１５１】
選択肢として、該サブセット制約指示情報は該少なくとも1つのSRSリソース組合せに一対一対応するリソース組合せ指示ビットマップを含み、該リソース組合せ指示ビットマップは該少なくとも1つのSRSリソース組合せにおける該少なくとも1つの利用可能なSRSリソース組合せを指示することに用いられる。
【０１５２】
選択肢として、該少なくとも1つのSRSリソース組合せは、1つのSRSリソースセットにおけるSRSリソースの間のすべての組合せを含む。
【０１５３】
選択肢として、該確定ユニット320は具体的に、該少なくとも1つの利用可能なSRSリソースサブセットの数に基づいて、該SRIの長さを確定することに用いられる。
【０１５４】
選択肢として、該確定ユニット320は具体的に、該SRIの長さが
2021512509.tif 000012
に等しいことを確定することに用いられ、
2021512509.tif 000013
は切り上げを表し、Kは前記少なくとも1つの利用可能なSRSリソースサブセットの数に等しい。
【０１５５】
選択肢として、該確定ユニット320は具体的に、該サブセット制約指示情報に基づいて、SRIの値と該少なくとも1つの利用可能なSRSリソースサブセットとの対応関係を確定することと、該SRIの値と該少なくとも1つの利用可能なSRSリソースサブセットとの対応関係に基づいて、該少なくとも1つの利用可能なSRSリソースサブセットから、該ターゲットSRIに対応するターゲットSRSリソースサブセットを確定することと、に用いられる。
【０１５６】
選択肢として、該アップリンクデータ伝送に使用される該伝送パラメータは、プリコーディングマトリックス、伝送層数、アンテナポート数、送信ビーム、電力制御パラメータ及びアンテナアレイブロックのうちの少なくとも1つを含む。
【０１５７】
選択肢として、該確定ユニット320は具体的に、該ターゲットSRSリソースサブセットのアンテナポート数及びターゲットプリコーディングマトリックスインジケーターPMI情報を確定することと、アンテナポート数、PMI情報及びプリコーディングマトリックスの間の対応関係に基づいて、該ターゲットSRSリソースサブセットのアンテナポート数及び該ターゲットPMI情報に対応するプリコーディングマトリックスが、該アップリンクデータ伝送に使用されるプリコーディングマトリックスであることを確定することと、に用いられる。
【０１５８】
選択肢として、該DCIは該ターゲットPMI情報を含む。
【０１５９】
選択肢として、該確定ユニット320は具体的に、該ターゲットSRSリソースサブセットの総アンテナポート数及び/又は該ターゲットSRSリソースサブセットに含まれるSRSリソースの数を、該アップリンクデータ伝送の伝送層数として確定することに用いられる。
【０１６０】
選択肢として、該確定ユニット320は具体的に、該ターゲットSRSリソースサブセットにおけるSRSの伝送に使用されるプリコーディングマトリックスを、該アップリンクデータ伝送に使用されるプリコーディングマトリックスとして確定することに用いられる。
【０１６１】
選択肢として、該ターゲットSRSリソースサブセットはターゲットSRSリソース組合せであり、該ターゲットSRSリソース組合せにおけるSRSリソースの数はKであり、Kは該アップリンクデータ伝送に対応するデータ伝送層の層数に等しく、該確定ユニット320は具体的に、該ターゲットSRSリソース組合せにおける各SRSリソースに使用されるプリコーディングマトリックスを確定し、K個のプリコーディングマトリックスを取得することと、該K個のプリコーディングマトリックスを、K個の該データ伝送層のプリコーディングマトリックスとして確定し、該K個のプリコーディングマトリックスはK個の該データ伝送層に一対一対応することと、に用いられる。
【０１６２】
選択肢として、該確定ユニット320は具体的に、該ターゲットSRSリソースサブセットの総アンテナポート数及び/又は該ターゲットSRSリソースサブセットに含まれるSRSリソースの数を、該アップリンクデータ伝送に使用されるアンテナポート数として確定することに用いられる。
【０１６３】
選択肢として、該確定ユニット320は具体的に、該ターゲットSRSリソースサブセットにおけるSRSを送信するビームを、該アップリンクデータ伝送に使用されるビームとして確定することに用いられる。
【０１６４】
選択肢として、該確定ユニット320は具体的に、SRSリソースサブセットと電力制御パラメータとの間の対応関係に基づいて、該ターゲットSRSリソースサブセットに対応する電力制御パラメータを、該アップリンクデータ伝送に使用される電力制御パラメータとして確定することに用いられる。
【０１６５】
選択肢として、該確定ユニット320は具体的に、SRIと電力制御パラメータとの間の対応関係に基づいて、該ターゲットSRIに対応する電力制御パラメータを、該アップリンクデータ伝送に使用される電力制御パラメータとして確定することに用いられる。
【０１６６】
選択肢として、該電力制御パラメータは少なくとも、開ループ電力制御パラメータ、閉ループ電力制御パラメータ及びパスロス推定値のうちの1つを含む。
【０１６７】
選択肢として、該確定ユニット320は具体的に、該ターゲットSRSリソースサブセットにおけるSRSを送信するアンテナアレイブロックを、該アップリンクデータ伝送に使用されるアンテナアレイブロックとして確定することに用いられる。
【０１６８】
理解できるように、本願の実施例による端末装置300は、本願の実施例における方法100の実行に対応することができ、そして端末装置300における各ユニットの上記と他の操作及び/又は機能は、それぞれ図1〜図2の各方法の端末装置の対応するフローを実現するためのものであり、簡明のために、ここでは繰り返して説明しない。
【０１６９】
従って、本願の実施例の端末装置によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１７０】
図4に示すように、本願の実施例によるネットワーク装置400は、送信ユニット410と確定ユニット420を備える。具体的に、該送信ユニット410はサウンディング参照信号SRSリソースのサブセット制約指示情報を端末装置に送信することに用いられ、該サブセット制約指示情報は少なくとも1つの利用可能なSRSリソースサブセットを指示することに用いられ、該確定ユニット420は該サブセット制約指示情報に基づいて、アップリンクデータ伝送をスケジューリングするためのダウンリンク制御情報DCIに含まれるSRSリソース指示SRIの長さを確定することに用いられ、該確定ユニット420は更に、該少なくとも1つの利用可能なSRSリソースサブセットから、ターゲットSRSリソースサブセットを確定することに用いられ、該ターゲットSRSリソースサブセットは、該端末装置が該アップリンクデータ伝送に使用される伝送パラメータを確定することに用いられ、該送信ユニット410は更に、該SRIの長さに基づいて、ターゲットSRIを含む該DCIを該端末装置に送信することに用いられ、該ターゲットSRIは該ターゲットSRSリソースサブセットを指示することに用いられる。
【０１７１】
従って、本願の実施例のネットワーク装置によれば、利用可能なSRSリソースサブセットを指示するためのサブセット制約指示情報を端末装置に送信し、そして該サブセット制約指示情報に基づいて、及び該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１７２】
選択肢として、該少なくとも1つの利用可能なSRSリソースサブセットにおける各SRSリソースサブセットは、1つのSRSリソースである。
【０１７３】
選択肢として、該送信ユニット410は更に、リソースセット指示情報を該端末装置に送信することに用いられ、該リソースセット指示情報は少なくとも1つのSRSリソースセットを指示することに用いられ、該サブセット制約指示情報は該少なくとも1つのSRSリソースセットにおける少なくとも1つの利用可能なSRSリソースを指示することに用いられる。
【０１７４】
選択肢として、該少なくとも1つのSRSリソースセットはN個のSRSリソースを含み、該サブセット制約指示情報は該N個のSRSリソースに一対一対応するリソース指示ビットマップを含み、該リソース指示ビットマップは該N個のSRSリソースにおける該少なくとも1つの利用可能なSRSリソースを指示することに用いられ、Nは正の整数である。
【０１７５】
選択肢として、該少なくとも1つの利用可能なSRSリソースサブセットにおける各SRSリソースサブセットは1つのSRSリソース組合せであり、該1つのSRSリソース組合せは少なくとも1つのSRSリソースを含む。
【０１７６】
選択肢として、該確定ユニット420は具体的に、プリセットの少なくとも1つのSRSリソース組合せを確定することに用いられ、該サブセット制約指示情報は該少なくとも1つのSRSリソース組合せにおける少なくとも1つの利用可能なSRSリソース組合せを指示することに用いられる。
【０１７７】
選択肢として、該サブセット制約指示情報は該少なくとも1つのSRSリソース組合せに一対一対応するリソース組合せ指示ビットマップを含み、該リソース組合せ指示ビットマップは該少なくとも1つのSRSリソース組合せにおける該少なくとも1つの利用可能なSRSリソース組合せを指示することに用いられる。
【０１７８】
選択肢として、該少なくとも1つのSRSリソース組合せは、1つのSRSリソースセットにおけるSRSリソースの間のすべての組合せを含む。
【０１７９】
選択肢として、該確定ユニット420は具体的に、該少なくとも1つの利用可能なSRSリソースサブセットの数に基づいて、該SRIの長さを確定することに用いられる。
【０１８０】
選択肢として、該確定ユニット420は具体的に、該SRIの長さが
2021512509.tif 000014
に等しいことを確定することに用いられ、
2021512509.tif 000015
は切り上げを表し、Kは前記少なくとも1つの利用可能なSRSリソースサブセットの数に等しい。
【０１８１】
選択肢として、該確定ユニットは具体的に、該サブセット制約指示情報に基づいて、SRIの値と該少なくとも1つの利用可能なSRSリソースサブセットとの対応関係を確定することと、該SRIの値と該少なくとも1つの利用可能なSRSリソースサブセットとの対応関係に基づいて、ターゲットSRSリソースサブセットに対応する該ターゲットSRIを確定することと、に用いられる。
【０１８２】
選択肢として、該アップリンクデータ伝送に使用される該伝送パラメータは、プリコーディングマトリックス、伝送層数、アンテナポート数、送信ビーム、電力制御パラメータ及びアンテナアレイブロックのうちの少なくとも1つを含む。
【０１８３】
理解できるように、本願の実施例によるネットワーク装置400は、本願の実施例における方法200の実行に対応することができ、そしてネットワーク装置400における各ユニットの上記と他の操作及び/又は機能は、それぞれ図1〜図2の各方法のネットワーク装置の対応するフローを実現するためのものであり、簡明のために、ここでは繰り返して説明しない。
【０１８４】
従って、本願の実施例のネットワーク装置によれば、利用可能なSRSリソースサブセットを指示するためのサブセット制約指示情報を端末装置に送信し、そして該サブセット制約指示情報に基づいて、及び該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１８５】
図5は本願の実施例による端末装置500の模式的なブロック図を示し、図5に示すように、該端末装置500はプロセッサ510及び送受信機520を備え、プロセッサ510は送受信機520に接続され、選択肢として、該端末装置500はメモリ530を更に備え、メモリ530はプロセッサ510に接続される。ここで、プロセッサ510、メモリ530、及び送受信機520の間には内部接続通路を介して相互に通信し、データ信号を伝達及び/又は制御し、該メモリ530は指令の記憶に用いられてもよく、該プロセッサ510は該メモリ530に記憶される指令を実行して、送受信機520による情報又は信号の送信を制御することに用いられ、該送受信機520はネットワーク装置が送信したサウンディング参照信号SRSリソースのサブセット制約指示情報を受信することに用いられ、該サブセット制約指示情報は少なくとも1つの利用可能なSRSリソースサブセットを指示することに用いられ、該プロセッサ510は、該サブセット制約指示情報に基づいて、ネットワーク装置が送信した、アップリンクデータ伝送をスケジューリングするためのダウンリンク制御情報DCIにおけるSRIの長さを確定することと、該SRIの長さに基づいて、該DCIからターゲットSRIを確定することと、該少なくとも1つの利用可能なSRSリソースサブセットから、該ターゲットSRIに対応するターゲットSRSリソースサブセットを確定することと、該ターゲットSRSリソースサブセットに基づいて、該アップリンクデータ伝送に使用される伝送パラメータを確定することと、に用いられる。
【０１８６】
従って、本願の実施例の端末装置によれば、端末装置はネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０１８７】
選択肢として、1つの実施例として、該少なくとも1つの利用可能なSRSリソースサブセットにおける各SRSリソースサブセットは、1つのSRSリソースである。
【０１８８】
選択肢として、1つの実施例として、該送受信機520は、該ネットワーク装置が送信したリソースセット指示情報を受信することに用いられ、該リソースセット指示情報は少なくとも1つのSRSリソースセットを指示することに用いられ、該サブセット制約指示情報は該少なくとも1つのSRSリソースセットにおける少なくとも1つの利用可能なSRSリソースを指示することに用いられる。
【０１８９】
選択肢として、1つの実施例として、該少なくとも1つのSRSリソースセットはN個のSRSリソースを含み、該サブセット制約指示情報は該N個のSRSリソースに一対一対応するリソース指示ビットマップを含み、該リソース指示ビットマップは該N個のSRSリソースにおける該少なくとも1つの利用可能なSRSリソースを指示することに用いられ、Nは正の整数である。
【０１９０】
選択肢として、1つの実施例として、該少なくとも1つの利用可能なSRSリソースサブセットにおける各SRSリソースサブセットは1つのSRSリソース組合せであり、該1つのSRSリソース組合せは少なくとも1つのSRSリソースを含む。
【０１９１】
選択肢として、1つの実施例として、該プロセッサ510は、プリセットの少なくとも1つのSRSリソース組合せを確定することに用いられ、該サブセット制約指示情報は該少なくとも1つのSRSリソース組合せにおける少なくとも1つの利用可能なSRSリソース組合せを指示することに用いられる。
【０１９２】
選択肢として、1つの実施例として、該サブセット制約指示情報は該少なくとも1つのSRSリソース組合せに一対一対応するリソース組合せ指示ビットマップを含み、該リソース組合せ指示ビットマップは該少なくとも1つのSRSリソース組合せにおける該少なくとも1つの利用可能なSRSリソース組合せを指示することに用いられる。
【０１９３】
選択肢として、1つの実施例として、該少なくとも1つのSRSリソース組合せは、1つのSRSリソースセットにおけるSRSリソースの間のすべての組合せを含む。
【０１９４】
選択肢として、1つの実施例として、該プロセッサ510は、該少なくとも1つの利用可能なSRSリソースサブセットの数に基づいて、該SRIの長さを確定することに用いられる。
【０１９５】
選択肢として、1つの実施例として、該プロセッサ510は、該SRIの長さが
2021512509.tif 000016
に等しいことを確定することに用いられ、
2021512509.tif 000017
は切り上げを表し、Kは該少なくとも1つの利用可能なSRSリソースサブセットの数に等しい。
【０１９６】
選択肢として、1つの実施例として、該プロセッサ510は、該サブセット制約指示情報に基づいて、SRIの値と該少なくとも1つの利用可能なSRSリソースサブセットとの対応関係を確定することと、該SRIの値と該少なくとも1つの利用可能なSRSリソースサブセットとの対応関係に基づいて、該少なくとも1つの利用可能なSRSリソースサブセットから、該ターゲットSRIに対応するターゲットSRSリソースサブセットを確定することと、に用いられる。
【０１９７】
選択肢として、1つの実施例として、該アップリンクデータ伝送に使用される該伝送パラメータは、プリコーディングマトリックス、伝送層数、アンテナポート数、送信ビーム、電力制御パラメータ及びアンテナアレイブロックのうちの少なくとも1つを含む。
【０１９８】
選択肢として、1つの実施例として、該プロセッサ510は、該ターゲットSRSリソースサブセットのアンテナポート数及びターゲットプリコーディングマトリックスインジケーターPMI情報を確定することと、アンテナポート数、PMI情報及びプリコーディングマトリックスの間の対応関係に基づいて、該ターゲットSRSリソースサブセットのアンテナポート数及び該ターゲットPMI情報に対応するプリコーディングマトリックスが、該アップリンクデータ伝送に使用されるプリコーディングマトリックスであることを確定することと、に用いられる。
【０１９９】
選択肢として、1つの実施例として、該DCIは該ターゲットPMI情報を含む。
【０２００】
選択肢として、1つの実施例として、該プロセッサ510は、該ターゲットSRSリソースサブセットの総アンテナポート数及び/又は該ターゲットSRSリソースサブセットに含まれるSRSリソースの数を、該アップリンクデータ伝送の伝送層数として確定することに用いられる。
【０２０１】
選択肢として、1つの実施例として、該プロセッサ510は、該ターゲットSRSリソースサブセットにおけるSRSの伝送に使用されるプリコーディングマトリックスを、該アップリンクデータ伝送に使用されるプリコーディングマトリックスとして確定することに用いられる。
【０２０２】
選択肢として、1つの実施例として、該ターゲットSRSリソースサブセットはターゲットSRSリソース組合せであり、該ターゲットSRSリソース組合せにおけるSRSリソースの数はKであり、Kは該アップリンクデータ伝送に対応するデータ伝送層の層数に等しく、該プロセッサ510は、該ターゲットSRSリソース組合せにおける各SRSリソースに使用されるプリコーディングマトリックスを確定し、K個のプリコーディングマトリックスを取得することと、該K個のプリコーディングマトリックスを、K個の該データ伝送層のプリコーディングマトリックスとして確定し、該K個のプリコーディングマトリックスはK個の該データ伝送層に一対一対応することと、に用いられる。
【０２０３】
選択肢として、1つの実施例として、該プロセッサ510は、該ターゲットSRSリソースサブセットの総アンテナポート数及び/又は該ターゲットSRSリソースサブセットに含まれるSRSリソースの数を、該アップリンクデータ伝送に使用されるアンテナポート数として確定することに用いられる。
【０２０４】
選択肢として、1つの実施例として、該プロセッサ510は、該ターゲットSRSリソースサブセットにおけるSRSを送信するビームを、該アップリンクデータ伝送に使用されるビームとして確定することに用いられる。
【０２０５】
選択肢として、1つの実施例として、該プロセッサ510は、SRSリソースサブセットと電力制御パラメータとの間の対応関係に基づいて、該ターゲットSRSリソースサブセットに対応する電力制御パラメータを、該アップリンクデータ伝送に使用される電力制御パラメータとして確定することに用いられる。
【０２０６】
選択肢として、1つの実施例として、該プロセッサ510は、SRIと電力制御パラメータとの間の対応関係に基づいて、該ターゲットSRIに対応する電力制御パラメータを、該アップリンクデータ伝送に使用される電力制御パラメータとして確定することに用いられる。
【０２０７】
選択肢として、1つの実施例として、該電力制御パラメータは少なくとも、開ループ電力制御パラメータ、閉ループ電力制御パラメータ及びパスロス推定値のうちの1つを含む。
【０２０８】
選択肢として、1つの実施例として、該プロセッサ510は、該ターゲットSRSリソースサブセットにおけるSRSを送信するアンテナアレイブロックを、該アップリンクデータ伝送に使用されるアンテナアレイブロックとして確定することに用いられる。
【０２０９】
理解できるように、本願の実施例による端末装置500は、本願の実施例における端末装置300に対応して、本願の実施例による方法100における対応主体の実行に対応することができ、そして端末装置500における各ユニットの上記と他の操作及び/又は機能は、それぞれ図1〜図2の各方法における端末装置の対応フローを実現するためのものであり、簡明のために、ここでは繰り返して説明しない。
【０２１０】
従って、本願の実施例の端末装置によれば、ネットワーク装置が送信した、利用可能なSRSリソースサブセットを指示するためのサブセット制約指示情報を受信し、該サブセット制約指示情報に基づいて、アップリンクデータ伝送をスケジューリングするためのDCIにおけるターゲットSRIの長さを確定し、更に、少なくとも1つ利用可能なSRSリソースサブセットから、該ターゲットSRIに対応するターゲットSRSリソースサブセットを確定して、該ターゲットSRSリソースサブセットに基づいて、対応するアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０２１１】
図6は本願の実施例によるネットワーク装置600の模式的なブロック図を示し、図6に示すように、該ネットワーク装置600はプロセッサ610及び送受信機620を備え、プロセッサ610は送受信機620に接続され、選択肢として、該ネットワーク装置600はメモリ630を更に備え、メモリ630はプロセッサ610に接続される。ここで、プロセッサ610、メモリ630、及び送受信機620の間には内部接続通路を介して相互に通信し、データ信号を伝達及び/又は制御し、該メモリ630は指令の記憶に用いられてもよく、該プロセッサ610は該メモリ630に記憶される指令を実行して、送受信機620による情報又は信号の送信を制御することに用いられ、該送受信機620はサウンディング参照信号SRSリソースのサブセット制約指示情報を端末装置に送信することに用いられ、該サブセット制約指示情報は少なくとも1つの利用可能なSRSリソースサブセットを指示することに用いられ、該プロセッサ610は、該サブセット制約指示情報に基づいて、アップリンクデータ伝送をスケジューリングするためのダウンリンク制御情報DCIに含まれるSRSリソース指示SRIの長さを確定することと、該少なくとも1つの利用可能なSRSリソースサブセットから、ターゲットSRSリソースサブセットを確定し、該ターゲットSRSリソースサブセットは、該端末装置が該アップリンクデータ伝送に使用される伝送パラメータを確定することと、該SRIの長さに基づいて、ターゲットSRIを含む該DCIを該端末装置に送信し、該ターゲットSRIは該ターゲットSRSリソースサブセットを指示することに用いられることと、に用いられる。
【０２１２】
従って、本願の実施例のネットワーク装置によれば、利用可能なSRSリソースサブセットを指示するためのサブセット制約指示情報を端末装置に送信し、そして該サブセット制約指示情報に基づいて、及び該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０２１３】
選択肢として、1つの実施例として、該少なくとも1つの利用可能なSRSリソースサブセットにおける各SRSリソースサブセットは、1つのSRSリソースである。
【０２１４】
選択肢として、1つの実施例として、該送受信機620は、リソースセット指示情報を該端末装置に送信することに用いられ、該リソースセット指示情報は少なくとも1つのSRSリソースセットを指示することに用いられ、該サブセット制約指示情報は該少なくとも1つのSRSリソースセットにおける少なくとも1つの利用可能なSRSリソースを指示することに用いられる。
【０２１５】
選択肢として、1つの実施例として、該少なくとも1つのSRSリソースセットはN個のSRSリソースを含み、該サブセット制約指示情報は該N個のSRSリソースに一対一対応するリソース指示ビットマップを含み、該リソース指示ビットマップは該N個のSRSリソースにおける該少なくとも1つの利用可能なSRSリソースを指示することに用いられ、Nは正の整数である。
【０２１６】
選択肢として、1つの実施例として、該少なくとも1つの利用可能なSRSリソースサブセットにおける各SRSリソースサブセットは1つのSRSリソース組合せであり、該1つのSRSリソース組合せは少なくとも1つのSRSリソースを含む。
【０２１７】
選択肢として、1つの実施例として、該プロセッサ610は、プリセットの少なくとも1つのSRSリソース組合せを確定することに用いられ、該サブセット制約指示情報は該少なくとも1つのSRSリソース組合せにおける少なくとも1つの利用可能なSRSリソース組合せを指示することに用いられる。
【０２１８】
選択肢として、1つの実施例として、該サブセット制約指示情報は該少なくとも1つのSRSリソース組合せに一対一対応するリソース組合せ指示ビットマップを含み、該リソース組合せ指示ビットマップは該少なくとも1つのSRSリソース組合せにおける該少なくとも1つの利用可能なSRSリソース組合せを指示することに用いられる。
【０２１９】
選択肢として、1つの実施例として、該少なくとも1つのSRSリソース組合せは、1つのSRSリソースセットにおけるSRSリソースの間のすべての組合せを含む。
【０２２０】
選択肢として、1つの実施例として、該プロセッサ610は、該少なくとも1つの利用可能なSRSリソースサブセットの数に基づいて、該SRIの長さを確定することに用いられる。
【０２２１】
選択肢として、1つの実施例として、該プロセッサ610は、該SRIの長さが
2021512509.tif 000018
に等しいことを確定することに用いられ、
2021512509.tif 000019
は切り上げを表し、Kは該少なくとも1つの利用可能なSRSリソースサブセットの数に等しい。
【０２２２】
選択肢として、1つの実施例として、該プロセッサ610は、該サブセット制約指示情報に基づいて、SRIの値と該少なくとも1つの利用可能なSRSリソースサブセットとの対応関係を確定することと、該SRIの値と該少なくとも1つの利用可能なSRSリソースサブセットとの対応関係に基づいて、ターゲットSRSリソースサブセットに対応する該ターゲットSRIを確定することと、に用いられる。
【０２２３】
選択肢として、1つの実施例として、該アップリンクデータ伝送に使用される該伝送パラメータは、プリコーディングマトリックス、伝送層数、アンテナポート数、送信ビーム、電力制御パラメータ及びアンテナアレイブロックのうちの少なくとも1つを含む。
【０２２４】
理解できるように、本願の実施例によるネットワーク装置600は、本願の実施例におけるネットワーク装置400に対応して、本願の実施例による方法200における対応主体の実行に対応することができ、そしてネットワーク装置600における各ユニットの上記と他の操作及び/又は機能は、それぞれ図1〜図2の各方法におけるネットワーク装置の対応フローを実現するためのものであり、簡明のために、ここでは繰り返して説明しない。
【０２２５】
従って、本願の実施例のネットワーク装置によれば、利用可能なSRSリソースサブセットを指示するためのサブセット制約指示情報を端末装置に送信し、そして該サブセット制約指示情報に基づいて、及び該利用可能なSRSリソースサブセットからターゲットSRSリソースサブセットを確定し、端末装置に送信するアップリンクデータ伝送をスケジューリングするためのDCIにおけるターゲットSRIを確定し、それにより端末装置は該ターゲットSRSリソースサブセットに基づいて対応のアップリンクデータ伝送の伝送パラメータを確定することで、現在の利用可能なSRSリソースサブセットに基づいてSRI指示内容を制限し、採用されないSRI指示内容の一部を削除して、DCIにおけるSRIのオーバーヘッドを低減する。
【０２２６】
なお、本願の上記方法の実施例は、プロセッサに適用され、又はプロセッサによって実現されてもよい。プロセッサは集積回路チップである可能性があり、信号の処理能力を持つ。実現過程において、上記方法の実施例の各ステップは、プロセッサ内のハードウェアの集積論理回路又はソフトウェア形態の指令によって達成できる。上記プロセッサは汎用プロセッサ、デジタルシグナルプロセッサ（digital signal processor、DSP）、専用集積回路（application specific integrated circuit、ASIC）、フィールドプログラマブルゲートアレイ（field programmable gate array、FPGA）又は他のプログラマブル論理デバイス、ディスクリートゲート又はトランジスタ論理デバイス、ディスクリートハードウェアモジュールであってもよい。本願の実施例に開示される様々な方法、ステップ及び論理ブロック図は、実現又は実行されることができる。汎用プロセッサはマイクロプロセッサであってもよく、或いは、該プロセッサは任意の通常のプロセッサ等であってもよい。本願の実施例を組合わせて開示された方法のステップは、直接にハードウェアデコードプロセッサで実行され、或いは、デコードプロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリにあり、プロセッサはメモリ内の情報を読み取り、そのハードウェアと共に上記方法のステップを完成する。
【０２２７】
理解できるように、本願の実施例におけるメモリは揮発性メモリ又は不揮発性メモリであってもよく、或いは揮発性メモリと不揮発性メモリの両方を含んでもよい。ここで、不揮発性メモリは、読み出し専用メモリ（read-only memory、ROM）、プログラマブル読み出し専用メモリ（programmable rom、PROM）、消去可能プログラマブル読み出し専用メモリ（erasable PROM、EPROM）、電気的消去可能プログラマブル読み出し専用メモリ（electrically EPROM、EEPROM）又はフラッシュメモリであってもよい。揮発性メモリは、外部キャッシュとして使用するランダムアクセスメモリ（random access memory、RAM）であってもよい。限定的でなく例示的な説明により、多くの形式のRAM、例えばスタティックランダムアクセスメモリ（static RAM、SRAM）、ダイナミックランダムアクセスメモリ（dynamic RAM、DRAM）、シンクロナスダイナミックランダムアクセスメモリ（synchronous DRAM、SDRAM）、ダブルデータレート同期ダイナミックランダムアクセスメモリ（double data rate SDRAM、DDR SDRAM）、拡張同期ダイナミックランダムアクセスメモリ（enhanced SDRAM、ESDRAM）、同期接続ダイナミックランダムアクセスメモリ（synchlink DRAM、SLDRAM）、ダイレクトメモリアクセスメモリ（direct rambus RAM、DR RAM）は利用可能である。なお、本明細書で説明するシステム及び方法のメモリは、これらのメモリ及びその他の任意の適切なタイプのメモリを含むが、これらに限定されない。
【０２２８】
当業者が認識できるように、本明細書で開示する実施例に説明した様々な例示のユニット及びアルゴリズムステップは、電子ハードウェア、又はコンピュータソフトウェアと電子ハードウェアとの組合せで実現できる。これらの機能がハードウェアで実行されるかそれともソフトウェアで実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【０２２９】
当業者が明らかに理解できるように、説明の便宜と簡明のために、上記説明したシステム、装置及びユニットの具体的な動作過程については、前述した方法の実施例における対応の過程を参照でき、ここでは繰り返して説明しない。
【０２３０】
本願によるいくつかの実施例において、理解できるように、開示されるシステム、装置及び方法は、他の方式で実現されてもよい。例えば、上記装置の実施例は概略的なものであり、例えば、前記ユニットの区分はただ論理機能の区分であり、実際に実現する時に他の区分方式があってもよく、例えば、複数のユニット又はモジュールは組合せってもよく、又は他のシステムに集積されてもよく、又は幾つかの特徴は無視され、又は実行されなくてもよい。また、表示又は説明した相互間のカップリング又は直接カップリング又は通信接続は、いくつかのインターフェース、装置又はユニットを介した間接カップリング又は通信接続であってもよく、電気的、機械的、又は他の形式であってもよい。
【０２３１】
前記分離部品として説明したユニットは物理的に分離したものであってもよくでなくてもよく、ユニットとして表示した部品は物理ユニットであってもよくでなくてもよく、1つの場所に位置してもよく、複数のネットワークユニットに分布してもよい。実際の需要に応じて、その一部又は全部のユニットを選択して本実施例の手段の目的を実現してもよい。
【０２３２】
また、本願の各実施例における各機能ユニットは、1つの処理ユニットに集積されたものであってもよく、各ユニットがそれぞれ物理的に存在するものであってもよく、2つ以上のユニットが1つのユニットに集積されたものであってもよい。
【０２３３】
前記機能はソフトウェア機能ユニットの形式で実現され且つ独立の製品として販売され又は使用される場合、コンピュータ読み取り可能な記憶媒体に記憶されてもよい。このような理解に基づいて、本願の技術的手段の本質又は従来技術に対する貢献の部分又は該技術的手段の部分はソフトウェア製品の形式で体現してもよく、該コンピュータソフトウェア製品は1つの記憶媒体に記憶され、1つのコンピュータ装置（パソコン、サーバ、又はネットワーク装置等であってもよい）が本願の各実施例に記載の方法の全部又は一部のステップを実行するための若干の指令を含む。前記記憶媒体は、Uディスク、移動ハードディスク、読み出し専用メモリ（read-only memory、ROM）、ランダムアクセスメモリ（random access memory、RAM）、ディスク又は光ディスク等の各種のプログラムコードを記憶可能な媒体を含む。
【０２３４】
上記のものは本願の具体的な実施形態に過ぎなく、本願の保護範囲はこれに限定されるものではなく、いかなる当業者が本願の開示した技術範囲内において容易に想到し得る変化又は置き換えは、いずれも本願の保護範囲内に含まれるべきである。従って、本願の保護範囲は記載の請求項の保護範囲を基準とするべきである。
【図１】
2021512509.tif 000028
【図２】
2021512509.tif 000029
【図３】
2021512509.tif 000030
【図４】
2021512509.tif 000031
【図５】
2021512509.tif 000032
【図６】
2021512509.tif 000033
【手続補正書】
【提出日】令和2年11月16日(2020.11.16)
【手続補正１】
【補正対象書類名】明細書
【補正対象項目名】００５８
【補正方法】変更
【補正の内容】
【００５８】
第3の態様において、上記第1の態様又は第1の態様の任意可能な実施形態における方法を実行することに用いられる端末装置を提供する。具体的に、該端末装置は、上記第1の態様又は第1の態様の任意可能な実施形態における方法を実行するためのユニットを備える。
【手続補正２】
【補正対象書類名】明細書
【補正対象項目名】００５９
【補正方法】変更
【補正の内容】
【００５９】
第4の態様において、上記第2の態様又は第2の態様の任意可能な実施形態における方法を実行することに用いられるネットワーク装置を提供する。具体的に、該ネットワーク装置は、上記第2の態様又は第2の態様の任意可能な実施形態における方法を実行するためのユニットを備える。
【手続補正３】
【補正対象書類名】明細書
【補正対象項目名】００６０
【補正方法】変更
【補正の内容】
【００６０】
第5の態様において、メモリとプロセッサを備える端末装置を提供し、該メモリは指令を記憶することに用いられ、該プロセッサは該メモリに記憶される指令を実行することに用いられ、該プロセッサが該メモリに記憶される指令を実行する場合、該実行によって該プロセッサは第1の態様又は第1の態様の任意可能な実施形態における方法を実行する。
【手続補正４】
【補正対象書類名】明細書
【補正対象項目名】００６１
【補正方法】変更
【補正の内容】
【００６１】
第6の態様において、メモリとプロセッサを備えるネットワーク装置を提供し、該メモリは指令を記憶することに用いられ、該プロセッサは該メモリに記憶される指令を実行することに用いられ、該プロセッサが該メモリに記憶される指令を実行する場合、該実行によって該プロセッサは第2の態様又は第2の態様の任意可能な実施形態における方法を実行する。
【手続補正５】
【補正対象書類名】明細書
【補正対象項目名】００９７
【補正方法】変更
【補正の内容】
【００９７】
選択肢として、1つの実施例として、端末装置は、アンテナポート数、PMI情報及びプリコーディングマトリックスの間の対応関係に基づいて、第1のアップリンクデータ伝送に使用されるプリコーディングマトリックスを確定してもよい。具体的に、端末装置は、該ターゲットSRSリソースサブセットのアンテナポート数及びターゲットPMI情報を確定し、アンテナポート数、PMI情報及びプリコーディングマトリックスの間の対応関係に基づいて、該ターゲットSRSリソースサブセットのアンテナポート数及びターゲットPMI情報に対応するプリコーディングマトリックスを、該アップリンクデータ伝送に使用されるプリコーディングマトリックスとする。
【手続補正６】
【補正対象書類名】特許請求の範囲
【補正対象項目名】全文
【補正方法】変更
【補正の内容】
【特許請求の範囲】
【請求項１】
ネットワーク装置が送信したサウンディング参照信号SRSリソースのサブセット制約指示情報を受信し、前記サブセット制約指示情報に基づいて少なくとも1つの利用可能なSRSリソースサブセットを確定することと、
前記サブセット制約指示情報に基づいて、ネットワーク装置が送信した、アップリンクデータ伝送をスケジューリングするためのダウンリンク制御情報DCIにおけるSRSリソース指示SRIの長さを確定することと、
前記SRIの長さに基づいて、前記DCIからターゲットSRIを確定することと、
前記少なくとも1つの利用可能なSRSリソースサブセットから、前記ターゲットSRIに対応するターゲットSRSリソースサブセットを確定することと、
前記ターゲットSRSリソースサブセットに基づいて、前記アップリンクデータ伝送に使用される伝送パラメータを確定することと、を含むことを特徴とするアップリンクデータ伝送に用いられる方法。
【請求項２】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項1に記載の方法。
【請求項３】
前記サブセット制約指示情報に基づいて前記SRIの長さを確定することは、
前記少なくとも1つの利用可能なSRSリソースサブセットの数に基づいて、前記SRIの長さを確定することを含むことを特徴とする請求項1又は2に記載の方法。
【請求項４】
2021512509.tif 000034
【請求項５】
前記サブセット制約指示情報に基づいて、SRIの値と前記少なくとも1つの利用可能なSRSリソースサブセットとの対応関係を確定することを更に含み、
前記少なくとも1つの利用可能なSRSリソースサブセットから、前記ターゲットSRIに対応するターゲットSRSリソースサブセットを確定することは、
前記SRIの値と前記少なくとも1つの利用可能なSRSリソースサブセットとの対応関係に基づいて、前記少なくとも1つの利用可能なSRSリソースサブセットから、前記ターゲットSRIに対応するターゲットSRSリソースサブセットを確定することを含むことを特徴とする請求項1〜4のいずれか1項に記載の方法。
【請求項６】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項1に記載の方法。
【請求項７】
前記ターゲットSRSリソースサブセットに基づいて、前記アップリンクデータ伝送に使用される伝送パラメータを確定することは、
前記ターゲットSRSリソースサブセットの総アンテナポート数及び/又は前記ターゲットSRSリソースサブセットに含まれるSRSリソースの数を、前記アップリンクデータ伝送の伝送層数として確定することを含むことを特徴とする請求項6に記載の方法。
【請求項８】
前記ターゲットSRSリソースサブセットに基づいて、前記アップリンクデータ伝送に使用される伝送パラメータを確定することは、
前記ターゲットSRSリソースサブセットにおけるSRSの伝送に使用されるプリコーディングマトリックスを、前記アップリンクデータ伝送に使用されるプリコーディングマトリックスとして確定することを含むことを特徴とする請求項6に記載の方法。
【請求項９】
前記ターゲットSRSリソースサブセットに基づいて、前記アップリンクデータ伝送に使用される伝送パラメータを確定することは、
前記ターゲットSRSリソースサブセットにおけるSRSを送信するビームを、前記アップリンクデータ伝送に使用されるビームとして確定することを含むことを特徴とする請求項6に記載の方法。
【請求項１０】
前記ターゲットSRSリソースサブセットに基づいて、前記アップリンクデータ伝送に使用される伝送パラメータを確定することは、
前記ターゲットSRSリソースサブセットにおけるSRSを送信するアンテナアレイブロックを、前記アップリンクデータ伝送に使用されるアンテナアレイブロックとして確定することを含むことを特徴とする請求項6に記載の方法。
【請求項１１】
ネットワーク装置が送信したサウンディング参照信号SRSリソースのサブセット制約指示情報を受信し、前記サブセット制約指示情報に基づいて少なくとも1つの利用可能なSRSリソースサブセットを確定することに用いられる、受信ユニットと、
前記サブセット制約指示情報に基づいて、ネットワーク装置が送信した、アップリンクデータ伝送をスケジューリングするためのダウンリンク制御情報DCIにおけるSRSリソース指示SRIの長さを確定することに用いられる確定ユニットと、を備え、
前記確定ユニットは更に、前記SRIの長さに基づいて、前記DCIからターゲットSRIを確定することに用いられ、
前記確定ユニットは更に、前記少なくとも1つの利用可能なSRSリソースサブセットから、前記ターゲットSRIに対応するターゲットSRSリソースサブセットを確定することに用いられ、
前記確定ユニットは更に、前記ターゲットSRSリソースサブセットに基づいて、前記アップリンクデータ伝送に使用される伝送パラメータを確定することに用いられることを特徴とする端末装置。
【請求項１２】
前記少なくとも1つの利用可能なSRSリソースサブセットにおける各SRSリソースサブセットは1つのSRSリソース組合せであり、前記1つのSRSリソース組合せは少なくとも1つのSRSリソースを含むことを特徴とする請求項11に記載の端末装置。
【請求項１３】
前記確定ユニットは具体的に、
前記少なくとも1つの利用可能なSRSリソースサブセットの数に基づいて、前記SRIの長さを確定することに用いられることを特徴とする請求項１１又は12に記載の端末装置。
【請求項１４】
2021512509.tif 000035
【請求項１５】
前記確定ユニットは具体的に、
前記サブセット制約指示情報に基づいて、SRIの値と前記少なくとも1つの利用可能なSRSリソースサブセットとの対応関係を確定することと、
前記SRIの値と前記少なくとも1つの利用可能なSRSリソースサブセットとの対応関係に基づいて、前記少なくとも1つの利用可能なSRSリソースサブセットから、前記ターゲットSRIに対応するターゲットSRSリソースサブセットを確定することと、に用いられることを特徴とする請求項11〜14のいずれか1項に記載の端末装置。
【請求項１６】
前記アップリンクデータ伝送に使用される前記伝送パラメータは、プリコーディングマトリックス、伝送層数、アンテナポート数、送信ビーム、電力制御パラメータ及びアンテナアレイブロックのうちの少なくとも1つを含むことを特徴とする請求項11に記載の端末装置。
【請求項１７】
前記確定ユニットは具体的に、
前記ターゲットSRSリソースサブセットの総アンテナポート数及び/又は前記ターゲットSRSリソースサブセットに含まれるSRSリソースの数を、前記アップリンクデータ伝送の伝送層数として確定することに用いられることを特徴とする請求項16に記載の端末装置。
【請求項１８】
前記確定ユニットは具体的に、
前記ターゲットSRSリソースサブセットにおけるSRSの伝送に使用されるプリコーディングマトリックスを、前記アップリンクデータ伝送に使用されるプリコーディングマトリックスとして確定することに用いられることを特徴とする請求項16に記載の端末装置。
【請求項１９】
前記確定ユニットは具体的に、
前記ターゲットSRSリソースサブセットにおけるSRSを送信するビームを、前記アップリンクデータ伝送に使用されるビームとして確定することに用いられることを特徴とする請求項16に記載の端末装置。
【請求項２０】
前記確定ユニットは具体的に、
前記ターゲットSRSリソースサブセットにおけるSRSを送信するアンテナアレイブロックを、前記アップリンクデータ伝送に使用されるアンテナアレイブロックとして確定することに用いられることを特徴とする請求項16に記載の端末装置。
【国際調査報告】
2021512509.tif 000036
2021512509.tif 000037
2021512509.tif 000038
2021512509.tif 000039